(57)【要約】チケットの購入者の声を記憶するサーバ装置（１０）にネットワーク網（１１）を介して接続された端末装置（１２−ｎ）であって、声を入力する声入力部（２０１）と、制御部（２０５）と、を備える。制御部（２０５）は、チケットの使用者の声が声入力部（２０１）に入力されたことに応答して、サーバ装置（１０）に記憶されているチケットの購入者の声をネットワーク網（１１）を介して取得する。制御部（２０５）は、チケットの使用者の声とチケットの購入者の声との声紋を照合してチケットの使用者がチケットの購入者と同一人物であるか否かを判別する。制御部（２０５）は、チケットの使用者がチケットの購入者と同一人物であると判別した場合、チケットを使用可能な状態にする。
2018105600.tif 000002
【特許請求の範囲】
【請求項１】
所定の権利の取得者の声を記憶するサーバ装置（１０）にネットワーク（１１）を介して接続された端末装置（１２−ｎ）であって、
声を入力する声入力部（２０１）と、
前記所定の権利の行使者の声が前記声入力部（２０１）に入力されたことに応答して、前記サーバ装置（１０）に記憶されている前記所定の権利の取得者の声を前記ネットワーク（１１）を介して取得し、前記行使者の声と前記取得者の声との声紋を照合して該行使者が該取得者と同一人物であるか否かを判別し、前記行使者が前記取得者と同一人物であると判別した場合、前記所定の権利を行使可能な状態にする端末制御部（２０５）と、
を備える端末装置（１２−ｎ）。
【請求項２】
前記所定の権利が行使されるときにタップされるアイコン（１９）を表示するタッチパネル（２０２）をさらに備え、
前記端末制御部（２０５）は、前記アイコン（１９）がタップされたことに応答して、前記所定の権利を行使済みの状態にする、
請求項１に記載の端末装置（１２−ｎ）。
【請求項３】
前記端末制御部（２０５）は、前記所定の権利を行使可能な状態にした後、所定の制限時間内に、前記アイコン（１９）がタップされたことに応答して、前記所定の権利を行使済みの状態にする、
請求項２に記載の端末装置（１２−ｎ）。
【請求項４】
前記タッチパネル（２０２）は、前記声紋認証によって前記行使者が前記取得者と同一人物であることの確認が取れているか否か、及び前記所定の権利を行使済みであるか否かに応じて、異なる画面を表示する、
請求項２又は３に記載の端末装置（１２−ｎ）。
【請求項５】
前記端末制御部（２０５）は、予め定められた前記所定の権利を行使可能な期間内であることを条件に、前記行使者の声と前記取得者の声との声紋を照合して該行使者が該取得者と同一人物であるか否かを判別する、
請求項１乃至４のいずれか１項に記載の端末装置（１２−ｎ）。
【請求項６】
所定の権利の行使者の声が入力される端末装置（１２−ｎ）とネットワーク（１１）を介して接続されたサーバ装置（１０）であって、
前記所定の権利の取得者の声を記憶する声記憶部（４８）と、
前記端末装置（１２−ｎ）から前記ネットワーク（１１）を介して送信される声紋認証を要求する声紋認証要求信号を受信し、前記声紋認証要求信号が要求する前記所定の権利の取得者の声を前記声記憶部（４８）から検出し、前記行使者の声と前記取得者の声との声紋を照合して該行使者が該取得者と同一人物であるか否かを判別し、前記行使者が前記取得者と同一人物であると判別した場合、前記声紋認証によって前記行使者が前記取得者と同一人物であることの確認が取れたことを示す声紋認証確認済信号を前記ネットワーク（１１）を介して前記端末装置（１２−ｎ）に送信するサーバ制御部（１０３）と、
を備えるサーバ装置（１０）。
【請求項７】
前記サーバ制御部（１０３）は、予め定められた前記所定の権利を行使可能な期間内であることを条件に、前記行使者の声と前記取得者の声との声紋を照合して該行使者が該取得者と同一人物であるか否かを判別する、
請求項６に記載のサーバ装置（１０）。
【請求項８】
請求項１乃至４のいずれか１項に記載の端末装置（１２−ｎ）と、前記サーバ装置（１０）と、を具備する同一人物判別システム（１００）であって、
前記端末制御部（２０５）は、前記所定の権利の行使者の声が前記声入力部（２０１）に入力されたことに応答して、該所定の権利の取得者の声を要求する声要求信号を前記ネットワーク（１１）を介して前記サーバ装置（１０）に送信し、
前記サーバ装置（１０）から前記ネットワーク（１１）を介して送信される前記取得者の声を受信し、
前記サーバ装置（１０）は、
前記所定の権利の取得者の声を記憶する声記憶部（４８）と、
前記端末装置（１２−ｎ）から前記ネットワーク（１１）を介して送信される前記声要求信号を受信し、前記声要求信号が要求する前記所定の権利の取得者の声を前記声記憶部（４８）から検出し、前記ネットワーク（１１）を介して前記端末装置（１２−ｎ）に送信するサーバ制御部（１０３）と、
を備える同一人物判別システム（１００）。
【請求項９】
請求項６又は７に記載のサーバ装置（１０）と、前記端末装置（１２−ｎ）と、を具備する同一人物判別システム（１００）であって、
前記端末装置（１２−ｎ）は、
声を入力する声入力部（２０１）と、
前記所定の権利の行使者の声が前記声入力部（２０１）に入力されたことに応答して、前記声紋認証要求信号を前記ネットワーク（１１）を介して前記サーバ装置（１０）に送信し、前記サーバ装置（１０）から前記ネットワーク（１１）を介して送信される前記声紋認証確認済信号を受信したことに応答して、前記所定の権利を行使可能な状態にする端末制御部（２０５）と、
を備える同一人物判別システム（１００）。
【請求項１０】
前記端末装置（１２−ｎ）は、
前記所定の権利が行使されるときにタップされるアイコン（１９）を表示するタッチパネル（２０２）をさらに備え、
前記サーバ装置（１０）は、
前記所定の権利を行使可能な状態にしてからの経過時間を計測するタイマ（４９）をさらに備え、
前記端末制御部（２０５）は、
前記アイコン（１９）がタップされたことに応答して、該アイコン（１９）がタップされたことを示すアイコンタップ信号を前記ネットワーク（１１）を介して前記サーバ装置（１０）に送信し、
前記サーバ装置（１０）から前記ネットワーク（１１）を介して送信される行使済信号を受信したことに応答して、前記所定の権利を行使済みの状態にし、
前記サーバ制御部（１０３）は、
前記端末装置（１２−ｎ）から前記ネットワーク（１１）を介して送信される前記アイコンタップ信号を受信したことに応答して、前記タイマ（４９）によって計測された前記経過時間が所定の制限時間内か否かを判別し、
前記経過時間が前記所定の制限時間内であると判別した場合、前記所定の権利を行使済みとする前記行使済信号を前記ネットワーク（１１）を介して前記端末装置（１２−ｎ）に送信する、
請求項８又は９に記載の同一人物判別システム（１００）。
【請求項１１】
前記端末制御部（２０５）は、前記所定の権利の取得を要求する権利取得要求信号を前記ネットワーク（１１）を介して前記サーバ装置（１０）に送信し、
前記サーバ制御部（１０３）は、前記端末装置（１２−ｎ）から前記ネットワーク（１１）を介して送信される前記権利取得要求信号を受信したことに応答して、該権利取得要求信号が要求する権利の取得数が、所定の制限数内であるか否かを判別し、前記所定の制限数内であると判別した場合、前記所定の権利の取得を許可する、
請求項８、９、又は１０に記載の同一人物判別システム（１００）。
【請求項１２】
前記サーバ制御部（１０３）は、前記声紋認証によって前記行使者が前記取得者と同一人物であることの確認が取れた場合、所定のサイトへログインするためのセキュリティコードを生成して、前記ネットワーク（１１）を介して前記端末装置（１２−ｎ）に送信し、
前記端末制御部（２０５）は、前記サーバ装置（１０）から前記ネットワーク（１１）を介して送信される前記セキュリティコードを受信し、前記セキュリティコードを使用して前記所定のサイトへログインする、
請求項８乃至１１のいずれか１項に記載の同一人物判別システム（１００）。
【請求項１３】
所定のサイトへログインするためのセキュリティコードを生成して前記端末装置（１２−ｎ）に送信するセキュリティコード生成装置（８）に前記ネットワーク（１１）を介して接続され、
前記サーバ制御部（１０３）は、前記声紋認証によって前記行使者が前記取得者と同一人物であることの確認が取れた場合、前記セキュリティコードを生成を要求するセキュリティコード生成要求信号を前記ネットワーク（１１）を介して前記セキュリティコード生成装置（８）に送信し、
前記端末制御部（２０５）は、前記セキュリティコード生成装置（８）から前記ネットワーク（１１）を介して送信される前記セキュリティコードを受信し、前記セキュリティコードを使用して前記所定のサイトへログインする、
請求項８乃至１１のいずれか１項に記載の同一人物判別システム（１００）。
【請求項１４】
所定の権利の取得者の声を記憶するサーバ装置（１０）にネットワーク（１１）を介して接続され、声を入力する声入力部（２０１）と、端末制御部（２０５）と、を備える端末装置（１２−ｎ）による同一人物判別方法であって、
前記端末制御部（２０５）が、
前記所定の権利の行使者の声が前記声入力部（２０１）に入力されたことに応答して、前記サーバ装置（１０）に記憶されている前記所定の権利の取得者の声を前記ネットワーク（１１）を介して取得し、
前記行使者の声と前記取得者の声との声紋を照合して該行使者が該取得者と同一人物であるか否かを判別し、
前記行使者が前記取得者と同一人物であると判別した場合、前記所定の権利を行使可能な状態にする、
同一人物判別方法。
【請求項１５】
所定の権利の行使者の声が入力される端末装置（１２−ｎ）とネットワーク（１１）を介して接続され、前記所定の権利の取得者の声を記憶する声記憶部（４８）と、サーバ制御部（１０３）と、を備えるサーバ装置（１０）による同一人物判別方法であって、
前記サーバ制御部（１０３）が、
前記端末装置（１２−ｎ）から前記ネットワーク（１１）を介して送信される声紋認証を要求する声紋認証要求信号を受信し、
前記声紋認証要求信号が要求する前記所定の権利の取得者の声を前記声記憶部（４８）から検出し、
前記行使者の声と前記取得者の声との声紋を照合して該行使者が該取得者と同一人物であるか否かを判別し、
前記行使者が前記取得者と同一人物であると判別した場合、前記声紋認証によって前記行使者が前記取得者と同一人物であることの確認が取れたことを示す声紋認証確認済信号を前記ネットワーク（１１）を介して前記端末装置（１２−ｎ）に送信する、
同一人物判別方法。
【請求項１６】
所定の権利の取得者の声を記憶するサーバ装置（１０）にネットワーク（１１）を介して接続され、声を入力する声入力部（２０１）を備える端末装置（１２−ｎ）のコンピュータ（２０５）に、
前記所定の権利の行使者の声が前記声入力部（２０１）に入力されたことに応答して、前記サーバ装置（１０）に記憶されている前記所定の権利の取得者の声を前記ネットワーク（１１）を介して取得し、
前記行使者の声と前記取得者の声との声紋を照合して該行使者が該取得者と同一人物であるか否かを判別し、
前記行使者が前記取得者と同一人物であると判別した場合、前記所定の権利を行使可能な状態にする、
ことを実行させるためのプログラム。
【請求項１７】
所定の権利の行使者の声が入力される端末装置（１２−ｎ）とネットワーク（１１）を介して接続され、前記所定の権利の取得者の声を記憶する声記憶部（４８）を備えるサーバ装置（１０）のコンピュータ（１０３）に、
前記端末装置（１２−ｎ）から前記ネットワーク（１１）を介して送信される声紋認証を要求する声紋認証要求信号を受信し、
前記声紋認証要求信号が要求する前記所定の権利の取得者の声を前記声記憶部（４８）から検出し、
前記行使者の声と前記取得者の声との声紋を照合して該行使者が該取得者と同一人物であるか否かを判別し、
前記行使者が前記取得者と同一人物であると判別した場合、前記声紋認証によって前記行使者が前記取得者と同一人物であることの確認が取れたことを示す声紋認証確認済信号を前記ネットワーク（１１）を介して前記端末装置（１２−ｎ）に送信する、
ことを実行させるためのプログラム。
【発明の詳細な説明】
【技術分野】
【０００１】
本発明は、端末装置、サーバ装置、同一人物判別システム、同一人物判別方法、及びプログラムに関し、特に、権利の移転を防止できる端末装置、サーバ装置、同一人物判別システム、同一人物判別方法、及びプログラムに関する。
【背景技術】
【０００２】
スポーツ競技、コンサート、各種興行等のイベントを開催する場合に、そのチケットがチケット販売窓口の他、電話やインターネット等を通して前売りされる。このようなチケット販売の際、使用するつもりのない購入者がチケットを買い占め、イベント会場などで、購入金額の数倍から数十倍の価格で転売して、正常なイベント活動を阻害する事態が発生している。かかる行為のため、本来の購入希望者がチケットを購入できなかったり、高額な支払いをせざるを得なくなったりするなど社会的な弊害が生じている。これは、チケットを販売するとき、購買者がどのような目的で購入するかを問わず販売するために生じる弊害である。これらの弊害を少なくするため、イベント会場の入口では、正規なチケットかを係員が目視確認して入場を許可することが行われている。【０００３】
また、かかる弊害を防止する技術として、ユーザが提示するチケット用紙の券図面に印刷された２次元コードを読み取る読取手段と、前記読取手段により読み取られた２次元コードを声紋情報に復号化し、復号化した声紋情報を取得する取得手段と、前記ユーザの音声を入力する入力手段と、前記入力手段により入力された音声を声紋情報に変換し、前記取得手段により取得された声紋情報と、前記変換された声紋情報とを照合して前記ユーザが正規なユーザか否かを認証するユーザ認証手段とを備えたチケット処理装置やプログラムがある（例えば、特許文献１参照）。【０００４】
他には、入場や利用などのチケット情報を記憶媒体に記憶した電子チケットの電子チケット購入時に、購入者や返却者の生体データを読取装置により読み取って、生体情報を記憶してから電子チケットを発行するようにした発行装置で電子チケットを発行し、電子チケットの返却時に、読取装置で読み取った電子チケットの返却者の生体情報と電子チケット購入者の生体情報が一致する場合に、この電子チケットの精算を行う精算手段を設けて、電子チケットの転売を防止するようにした電子チケットシステムもある（例えば、特許文献２参照）。【０００５】
なお、本明細書中に特許文献１及び２の明細書、特許請求の範囲、図面全体を参考として取り込むものとする。
【先行技術文献】
【特許文献】
【０００６】
【特許文献１】特許第３９１５４６４号公報
【特許文献２】特開２００５−２５３５３号公報
【発明の概要】
【発明が解決しようとする課題】
【０００７】
しかしながら、特許文献１に記載されたチケット処理装置では、高額転売を防止するため、専用のチケット処理装置と２次元コード読取装置とが大量に必要となる。また、専用のチケット処理装置が必要なので、ネットワーク網を介してチケットを販売することはできない。また、一人毎に、２次元コード読み取り確認時間、声認証時間、及びゲートの開閉時間が必要となるので、処理速度が遅く、各行程を併行して行うことができない。しかも、同一購入希望者が、複数のチケットを購入することができ、転売行為を容認してしまうおそれがある。【０００８】
また、特許文献２に記載された電子チケットシステムでは、電子チケットの購入者の生体データを読み取る読取装置を電子チケット販売時および電子チケット返却時に必要とするので、ネットワーク網を介してのチケットの販売は困難である。【０００９】
本発明は、上記の課題を解決するためになされたものであって、権利の移転を防止できる端末装置、サーバ装置、同一人物判別システム、同一人物判別方法、及びプログラムを提供することを目的とする。
【課題を解決するための手段】
【００１０】
上記の目的を達成するため、本発明の第１の観点に係る端末装置（１２−ｎ）は、所定の権利の取得者の声を記憶するサーバ装置（１０）にネットワーク（１１）を介して接続された端末装置（１２−ｎ）であって、声を入力する声入力部（２０１）と、前記所定の権利の行使者の声が前記声入力部（２０１）に入力されたことに応答して、前記サーバ装置（１０）に記憶されている前記所定の権利の取得者の声を前記ネットワーク（１１）を介して取得し、前記行使者の声と前記取得者の声との声紋を照合して該行使者が該取得者と同一人物であるか否かを判別し、前記行使者が前記取得者と同一人物であると判別した場合、前記所定の権利を行使可能な状態にする端末制御部（２０５）と、を備える。【００１１】
上記の端末装置（１２−ｎ）は、前記所定の権利が行使されるときにタップされるアイコン（１９）を表示するタッチパネル（２０２）をさらに備え、前記端末制御部（２０５）は、前記アイコン（１９）がタップされたことに応答して、前記所定の権利を行使済みの状態にする、ようにしてもよい。【００１２】
上記の端末装置（１２−ｎ）において、前記端末制御部（２０５）は、前記所定の権利を行使可能な状態にした後、所定の制限時間内に、前記アイコン（１９）がタップされたことに応答して、前記所定の権利を行使済みの状態にする、ようにしてもよい。【００１３】
上記の端末装置（１２−ｎ）において、前記タッチパネル（２０２）は、前記声紋認証によって前記行使者が前記取得者と同一人物であることの確認が取れているか否か、及び前記所定の権利を行使済みであるか否かに応じて、異なる画面を表示する、ようにしてもよい。【００１４】
上記の端末装置（１２−ｎ）において、前記端末制御部（２０５）は、予め定められた前記所定の権利を行使可能な期間内であることを条件に、前記行使者の声と前記取得者の声との声紋を照合して該行使者が該取得者と同一人物であるか否かを判別する、ようにしてもよい。【００１５】
上記の目的を達成するため、本発明の第２の観点に係るサーバ装置（１０）は、所定の権利の行使者の声が入力される端末装置（１２−ｎ）とネットワーク（１１）を介して接続されたサーバ装置（１０）であって、前記所定の権利の取得者の声を記憶する声記憶部（４８）と、前記端末装置（１２−ｎ）から前記ネットワーク（１１）を介して送信される声紋認証を要求する声紋認証要求信号を受信し、前記声紋認証要求信号が要求する前記所定の権利の取得者の声を前記声記憶部（４８）から検出し、前記行使者の声と前記取得者の声との声紋を照合して該行使者が該取得者と同一人物であるか否かを判別し、前記行使者が前記取得者と同一人物であると判別した場合、前記声紋認証によって前記行使者が前記取得者と同一人物であることの確認が取れたことを示す声紋認証確認済信号を前記ネットワーク（１１）を介して前記端末装置（１２−ｎ）に送信するサーバ制御部（１０３）と、を備える。【００１６】
上記のサーバ装置（１０）において、前記サーバ制御部（１０３）は、予め定められた前記所定の権利を行使可能な期間内であることを条件に、前記行使者の声と前記取得者の声との声紋を照合して該行使者が該取得者と同一人物であるか否かを判別する、ようにしてもよい。【００１７】
上記の目的を達成するため、本発明の第３の観点に係る同一人物判別システム（１００）は、上記の端末装置（１２−ｎ）と、前記サーバ装置（１０）と、を具備する同一人物判別システム（１００）であって、前記端末制御部（２０５）は、前記所定の権利の行使者の声が前記声入力部（２０１）に入力されたことに応答して、該所定の権利の取得者の声を要求する声要求信号を前記ネットワーク（１１）を介して前記サーバ装置（１０）に送信し、前記サーバ装置（１０）から前記ネットワーク（１１）を介して送信される前記取得者の声を受信し、前記サーバ装置（１０）は、前記所定の権利の取得者の声を記憶する声記憶部（４８）と、前記端末装置（１２−ｎ）から前記ネットワーク（１１）を介して送信される前記声要求信号を受信し、前記声要求信号が要求する前記所定の権利の取得者の声を前記声記憶部（４８）から検出し、前記ネットワーク（１１）を介して前記端末装置（１２−ｎ）に送信するサーバ制御部（１０３）と、を備える。【００１８】
上記の目的を達成するため、本発明の第４の観点に係る同一人物判別システム（１００）は、上記のサーバ装置（１０）と、前記端末装置（１２−ｎ）と、を具備する同一人物判別システム（１００）であって、前記端末装置（１２−ｎ）は、声を入力する声入力部（２０１）と、前記所定の権利の行使者の声が前記声入力部（２０１）に入力されたことに応答して、前記声紋認証要求信号を前記ネットワーク（１１）を介して前記サーバ装置（１０）に送信し、前記サーバ装置（１０）から前記ネットワーク（１１）を介して送信される前記声紋認証確認済信号を受信したことに応答して、前記所定の権利を行使可能な状態にする端末制御部（２０５）と、を備える。【００１９】
上記の同一人物判別システム（１００）において、前記端末装置（１２−ｎ）は、前記所定の権利が行使されるときにタップされるアイコン（１９）を表示するタッチパネル（２０２）をさらに備え、前記サーバ装置（１０）は、前記所定の権利を行使可能な状態にしてからの経過時間を計測するタイマ（４９）をさらに備え、前記端末制御部（２０５）は、前記アイコン（１９）がタップされたことに応答して、該アイコン（１９）がタップされたことを示すアイコンタップ信号を前記ネットワーク（１１）を介して前記サーバ装置（１０）に送信し、前記サーバ装置（１０）から前記ネットワーク（１１）を介して送信される行使済信号を受信したことに応答して、前記所定の権利を行使済みの状態にし、前記サーバ制御部（１０３）は、前記端末装置（１２−ｎ）から前記ネットワーク（１１）を介して送信される前記アイコンタップ信号を受信したことに応答して、前記タイマ（４９）によって計測された前記経過時間が所定の制限時間内か否かを判別し、前記経過時間が前記所定の制限時間内であると判別した場合、前記所定の権利を行使済みとする前記行使済信号を前記ネットワーク（１１）を介して前記端末装置（１２−ｎ）に送信する、ようにしてもよい。【００２０】
上記の同一人物判別システム（１００）において、前記端末制御部（２０５）は、前記所定の権利の取得を要求する権利取得要求信号を前記ネットワーク（１１）を介して前記サーバ装置（１０）に送信し、前記サーバ制御部（１０３）は、前記端末装置（１２−ｎ）から前記ネットワーク（１１）を介して送信される前記権利取得要求信号を受信したことに応答して、該権利取得要求信号が要求する権利の取得数が、所定の制限数内であるか否かを判別し、前記所定の制限数内であると判別した場合、前記所定の権利の取得を許可する、ようにしてもよい。【００２１】
上記の同一人物判別システム（１００）において、前記サーバ制御部（１０３）は、前記声紋認証によって前記行使者が前記取得者と同一人物であることの確認が取れた場合、所定のサイトへログインするためのセキュリティコードを生成して、前記ネットワーク（１１）を介して前記端末装置（１２−ｎ）に送信し、前記端末制御部（２０５）は、前記サーバ装置（１０）から前記ネットワーク（１１）を介して送信される前記セキュリティコードを受信し、前記セキュリティコードを使用して前記所定のサイトへログインする、ようにしてもよい。【００２２】
上記の同一人物判別システム（１００）は、所定のサイトへログインするためのセキュリティコードを生成して前記端末装置（１２−ｎ）に送信するセキュリティコード生成装置（８）に前記ネットワーク（１１）を介して接続され、前記サーバ制御部（１０３）は、前記声紋認証によって前記行使者が前記取得者と同一人物であることの確認が取れた場合、前記セキュリティコードを生成を要求するセキュリティコード生成要求信号を前記ネットワーク（１１）を介して前記セキュリティコード生成装置（８）に送信し、前記端末制御部（２０５）は、前記セキュリティコード生成装置（８）から前記ネットワーク（１１）を介して送信される前記セキュリティコードを受信し、前記セキュリティコードを使用して前記所定のサイトへログインする、ようにしてもよい。【００２３】
上記の目的を達成するため、本発明の第５の観点に係る同一人物判別方法は、所定の権利の取得者の声を記憶するサーバ装置（１０）にネットワーク（１１）を介して接続され、声を入力する声入力部（２０１）と、端末制御部（２０５）と、を備える端末装置（１２−ｎ）による同一人物判別方法であって、前記端末制御部（２０５）が、前記所定の権利の行使者の声が前記声入力部（２０１）に入力されたことに応答して、前記サーバ装置（１０）に記憶されている前記所定の権利の取得者の声を前記ネットワーク（１１）を介して取得し、前記行使者の声と前記取得者の声との声紋を照合して該行使者が該取得者と同一人物であるか否かを判別し、前記行使者が前記取得者と同一人物であると判別した場合、前記所定の権利を行使可能な状態にする。【００２４】
上記の目的を達成するため、本発明の第６の観点に係る同一人物判別方法は、所定の権利の行使者の声が入力される端末装置（１２−ｎ）とネットワーク（１１）を介して接続され、前記所定の権利の取得者の声を記憶する声記憶部（４８）と、サーバ制御部（１０３）と、を備えるサーバ装置（１０）による同一人物判別方法であって、前記サーバ制御部（１０３）が、前記端末装置（１２−ｎ）から前記ネットワーク（１１）を介して送信される声紋認証を要求する声紋認証要求信号を受信し、前記声紋認証要求信号が要求する前記所定の権利の取得者の声を前記声記憶部（４８）から検出し、前記行使者の声と前記取得者の声との声紋を照合して該行使者が該取得者と同一人物であるか否かを判別し、前記行使者が前記取得者と同一人物であると判別した場合、前記声紋認証によって前記行使者が前記取得者と同一人物であることの確認が取れたことを示す声紋認証確認済信号を前記ネットワーク（１１）を介して前記端末装置（１２−ｎ）に送信する。【００２５】
上記の目的を達成するため、本発明の第７の観点に係るプログラムは、所定の権利の取得者の声を記憶するサーバ装置（１０）にネットワーク（１１）を介して接続され、声を入力する声入力部（２０１）を備える端末装置（１２−ｎ）のコンピュータ（２０５）に、前記所定の権利の行使者の声が前記声入力部（２０１）に入力されたことに応答して、前記サーバ装置（１０）に記憶されている前記所定の権利の取得者の声を前記ネットワーク（１１）を介して取得し、前記行使者の声と前記取得者の声との声紋を照合して該行使者が該取得者と同一人物であるか否かを判別し、前記行使者が前記取得者と同一人物であると判別した場合、前記所定の権利を行使可能な状態にする、ことを実行させる。【００２６】
上記の目的を達成するため、本発明の第８の観点に係るプログラムは、所定の権利の行使者の声が入力される端末装置（１２−ｎ）とネットワーク（１１）を介して接続され、前記所定の権利の取得者の声を記憶する声記憶部（４８）を備えるサーバ装置（１０）のコンピュータ（１０３）に、前記端末装置（１２−ｎ）から前記ネットワーク（１１）を介して送信される声紋認証を要求する声紋認証要求信号を受信し、前記声紋認証要求信号が要求する前記所定の権利の取得者の声を前記声記憶部（４８）から検出し、前記行使者の声と前記取得者の声との声紋を照合して該行使者が該取得者と同一人物であるか否かを判別し、前記行使者が前記取得者と同一人物であると判別した場合、前記声紋認証によって前記行使者が前記取得者と同一人物であることの確認が取れたことを示す声紋認証確認済信号を前記ネットワーク（１１）を介して前記端末装置（１２−ｎ）に送信する、ことを実行させる。
【発明の効果】
【００２７】
本発明によれば、権利の移転を防止できる端末装置、サーバ装置、同一人物判別システム、同一人物判別方法、及びプログラムを提供することができる。
【図面の簡単な説明】
【００２８】
【図１】本実施形態に係るチケット処理システムのハードウェア構成を例示する図である。
【図２】端末装置の構成例を示すブロック図である。
【図３】イベント検索画面の表示例を示す図である。
【図４】チケット購入画面の表示例を示す図である。
【図５】声登録画面の表示例を示す図である。
【図６】マイチケット画面の表示例を示す図である。
【図７】チケット表示画面の表示例を示す図である。
【図８】声紋認証画面の表示例を示す図である。
【図９】端末装置の制御部の機能ブロック図である。
【図１０】クラウドサーバの構成例を示すブロック図である。
【図１１】クラウドサーバのデータベース構成を例示する図である。
【図１２】クラウドサーバの制御部の機能ブロック図である。
【図１３】チケット処理システムが実行する処理シーケンス図である。
【図１４】チケット購入処理の詳細を示すフローチャートである。
【図１５】チケット購入処理の続きを示すフローチャートである。
【図１６】チケット購入処理の続きを示すフローチャートである。
【図１７】入場前声認証処理の詳細を示すフローチャートである。
【図１８】入場前声認証処理の続きを示すフローチャートである。
【図１９】チケット使用済登録処理の詳細を示すフローチャートである。
【図２０】入場前声認証処理の変形例を示すフローチャートである。
【図２１】変形例に係る入場前声認証処理の続きを示すフローチャートである。
【図２２】セキュリティコード発行処理の詳細を示すフローチャートである。
【発明を実施するための形態】
【００２９】
以下、本発明を実施するための形態について説明する。
【００３０】
まず、本実施形態に係るチケット処理システムの構成について図面を参照しつつ説明する。
【００３１】
図１は、本実施形態に係るチケット処理システムのハードウェア構成を例示する図である。
【００３２】
チケット処理システム１００は、チケットの管理を行うクラウドサーバ１０を中核とする広域ネットワークシステムである。クラウドサーバ１０には、図１に示すように、例えばインターネット等のネットワーク網１１を介して複数台の端末装置１２−１、１２−２、・・・１２−ｎ（ｎは自然数）が接続されている。クラウドサーバ１０と端末装置１２−ｎとは、外部の決済サーバ９にネットワーク網１１を介して接続されている。
【００３３】
端末装置１２−ｎは、例えば通常の個人や組織が所有している一般的なスマートフォン（スマホ）又はタブレットコンピュータ等から構成されている。なお、端末装置１２−ｎは、例えば携帯電話又は汎用のパーソナルコンピュータ等から構成されてもよい。
【００３４】
図２は、端末装置の構成例を示すブロック図である。
【００３５】
図２に示すように、端末装置１２−ｎは、声入力部２０１と、タッチパネル２０２と、通信部２０３と、記憶部２０４と、制御部２０５と、を備え、これらはバスを介して接続されている。
【００３６】
声入力部２０１は、例えば汎用のマイクロフォン及びアナログ−デジタル変換回路等から構成されている。声入力部２０１には、発声したユーザの声が入力される。
【００３７】
タッチパネル２０２は、例えば液晶表示装置とポインティングデバイスとを組み合わせた汎用のタッチパネル等から構成されている。タッチパネル２０２は、各種画面を表示するとともに、ユーザによる各種操作を受け付ける。
【００３８】
本実施形態において、タッチパネル２０２には、クラウドサーバ１０が運営するチケット管理サイトを利用するための会員登録を行うための会員登録画面が表示される。ユーザは、会員登録画面において、チケット管理サイトへログインするために必要な会員ＩＤ（Identification）、メールアドレス、及びパスワード等の会員情報を入力する等して、会員登録を行う。
【００３９】
会員登録後、タッチパネル２０２には、チケット管理サイトへログインするためのログイン画面等が表示される。ユーザは、ログイン画面において、会員ＩＤ及びパスワード等を入力する等して、チケット管理サイトへログインする。
【００４０】
チケット管理サイトへのログイン後、タッチパネル２０２には、チケット管理サイトでチケットが販売されているイベントを検索するためのイベント検索画面が表示される。
【００４１】
図３は、イベント検索画面の表示例を示す図である。
【００４２】
図３に示すように、イベント検索画面３００には、ライブ、セミナ、及びコンベンション等のイベントのカテゴリを選択するためのタブ３０１、並びにイベント名、開催日時、開催場所、及び予算等の検索条件を入力するためのテキストボックス３０２等が表示される。その他、イベント検索画面３００には、新着のイベント、人気のイベント、及びおすすめのイベント等を示す画像が一又は複数表示されてもよい。ユーザは、参加を希望するイベントのカテゴリをタブ３０１で選択したり、検索条件をテキストボックス３０２に入力したりする等して、検索条件に一致するイベントを表示させ、その中から、参加を希望するイベントを選択する。
【００４３】
図２に示すタッチパネル２０２には、イベントの選択後、そのイベントに参加するためのチケットを購入するためのチケット購入画面４００が表示される。
【００４４】
図４は、チケット購入画面の表示例を示す図である。
【００４５】
図４に示すように、チケット購入画面４００には、イベントの画像４０１、イベント名４０２、及びイベントの概要４０３、並びに「Ｓチケット」、「Ａチケット」、及び「Ｂチケット」等といったチケットの席種４０４等が表示される。ユーザは、チケット購入画面４００において、チケットの席種４０４及び購入枚数を選択する等して、チケットの購入を指示する。
【００４６】
図２に示すタッチパネル２０２には、チケット購入の指示後、チケットの購入者の声を登録するための声登録画面が表示される。
【００４７】
図５は、声登録画面の表示例を示す図である。
【００４８】
図５に示すように、声登録画面５００には、声の登録の開始を指示するための声登録開始アイコン５０１、声を登録するためのガイダンス５０２、及び「ひらけごま」等といった登録する声のフレーズ５０３等が表示される。ユーザは、声登録画面５００において、声登録開始アイコン５０１をタップした後、ガイダンス５０２に従ってフレーズ５０３を発声して声を声入力部２０１に入力する等して、ユーザの声をチケットの購入者の声として登録する。本実施形態において、声入力部２０１への声の入力は、三回行われる。
【００４９】
図２に示すタッチパネル２０２には、声の登録後、購入代金の決済を行うための決済画面が表示される。ユーザは、決済画面において、決済方法を選択する等して、購入代金の決済を行う。購入代金の決済後、タッチパネル２０２には、ユーザにチケットの購入が完了されたことを示す購入完了画面が表示される。
【００５０】
また、タッチパネル２０２には、ユーザが購入したチケットを表示するためのマイチケット画面が表示される。
【００５１】
図６は、マイチケット画面の表示例を示す図である。
【００５２】
図６に示すように、マイチケット画面６００には、チケットの概要６０１、チケットの表示を指示するためのチケット表示アイコン６０２、及びチケットの使用を指示するためのチケット使用アイコン６０３等が表示される。
【００５３】
マイチケット画面において、ユーザがチケット表示アイコン６０２をタップした場合、タッチパネル２０２には、チケット表示画面が表示される。
【００５４】
図７は、チケット表示画面の表示例を示す図である。
【００５５】
声紋認証による確認前には、図７（ａ）に示す未認証チケット表示画面１３Ａがタッチパネル２０２に表示される。ここで、声紋認証とは、チケットを使用するユーザの声と、チケットの購入者の声として登録されている声と、の声紋を照合して、チケットの使用者がチケットの購入者と同一人物であるか否かを検証するものである。
【００５６】
図７（ａ）に示すように、未認証チケット表示画面１３Ａには、イベントに登場する歌手の姿等の画像ＳＡが表示される。また、未認証チケット表示画面１３Ａには、画像ＳＡ以外に、「Ｍｉｎｔｏｍｏ全国ツアー」等といったイベント名１４、「Ａチケット」等の席種１５、チケットの購入情報を識別するための購入ＩＤ１７Ａ、及び「２０１６．５．５  ５：０５：０５」等といったチケットの購入日時１８Ａ等が、画像や文字として表示される。
【００５７】
図６に示すマイチケット画面６００において、ユーザがチケット使用アイコン６０３をタップした場合、タッチパネル２０２には、声紋認証を行うための声紋認証画面が表示される。
【００５８】
図８は、声紋認証画面の表示例を示す図である。
【００５９】
図８に示すように、声紋認証画面８００には、声紋の認証の開始を指示するための声紋認証開始アイコン８０１、声紋を認証するためのガイダンス８０２、及び「ひらけごま」等といった声紋認証する声のフレーズ８０３等が表示される。ユーザは、声紋認証開始アイコン８０１をタップした後、ガイダンス８０２に従ってフレーズ８０３を発声して声を声入力部２０１に入力する等して、声紋認証を行う。
【００６０】
図２に示すタッチパネル２０２には、声紋認証による確認後、声紋認証による確認済みであることを示す認証済画面に続き、図７（ｂ）に示す認証済チケット表示画面１３Ｂがタッチパネル２０２に表示される。
【００６１】
図７（ｂ）に示すように、認証済チケット表示画面１３Ｂには、未認証チケット表示画面１３Ａとは異なる、イベントに登場する歌手の姿等を、よりリアルに表現した画像ＳＢが表示される。また、認証済チケット表示画面１３Ｂには、画像ＳＢ以外に、イベント名１４、席種１５、声紋認証による確認済みであることを示す認証済表示１６、認証情報を識別するための認証ＩＤ１７Ｂ、「２０１６．１２．１２  １２：１２：１２」等といった声紋認証による認証日時（認証時刻）１８Ｂ等が、画像や文字として表示される。なお、認証済チケット表示画面１３Ｂには、認証時刻からの経過時間が表示されてもよい。さらに、認証済チケット表示画面１３Ｂには、「もぎり」のアイコン１９が表示される。なお、一般に、「もぎり」とは、劇場・映画館などの入り口で、入場券の半分をもぎ取ることをいう。
【００６２】
ユーザは、イベント会場への入場直前に受付場所で受付スタッフに、認証済チケット表示画面１３Ｂを提示する。受付スタッフは、認証済チケット表示画面１３Ｂにおいて、イベントの歌手の画像ＳＢや、その他の画像、イベント名１４、認証ＩＤ１７Ｂ、認証日時（認証時刻）１８Ｂ等の、チケットが有効であることを示す画像が表示されているか否か等をチェックする。受付スタッフは、ユーザが提示しているチケットが異常なく正しいものであると判断した場合、チケットの有効性を確認した証拠として、「もぎり」のアイコン１９をタップすることで、紙チケットのように、「もぎり」の処置を行う。
【００６３】
図２に示すタッチパネル２０２には、「もぎり」の処置が行われた後、チケットが使用済みとなったことを示す使用済チケット表示画面が表示される。
【００６４】
このように、タッチパネル２０２は、チケット購入段階等といった声紋認証による確認前の段階と、入場直前段階等といった声紋認証による確認後で「もぎり」の処置前の段階と、受付段階等といった「もぎり」の処置後の段階と、のいずれの処理段階であるかを、受付スタッフが比較的遠くから見ても識別できるように、画面表示を各処理段階毎に明瞭に変化させるようにしている。なお、図７に示す例の以外でも、声紋認証による確認後の段階や「もぎり」の処置後の段階では、イベントに登場する歌手の姿等の画像を、歌手の顔のアップ画像や、黄色や赤色等の目立つ色彩の画像等の異なる画像に変化させるようにしてもよい。これにより、受付スタッフは、声紋認証による確認済みか否かや、チケットが使用済みか否かについての迅速な確認を、より一層効果的に行うことができる。
【００６５】
通信部２０３は、例えば汎用の無線通信装置等から構成されている。通信部２０３は、ネットワーク網１１を介してクラウドサーバ１０にアクセスして、クラウドサーバ１０と無線通信を行う。
【００６６】
本実施形態において、通信部２０３は、会員情報、会員認証を要求する会員認証要求信号、チケットの詳細を示すチケット情報を要求するチケット情報要求信号、チケットの購入を要求するチケット購入要求信号、声情報、チケットの購入情報を要求する購入情報要求信号、声データを要求する声データ要求信号、声紋認証の結果（以下、「認証結果」という。）を示す認証結果信号、並びにもぎりしたことを示すもぎり信号等をネットワーク網１１を介してクラウドサーバ１０に送信する。また、通信部２０３は、購入代金の決済を要求する決済要求信号等をネットワーク網１１を介して決済サーバ９に送信する。
【００６７】
さらに、通信部２０３は、クラウドサーバ１０からネットワーク網１１を介して送信される会員認証が拒否されたことを示す会員認証拒否信号又は許可されたことを示す会員認証許可信号、チケット情報、声の登録を要求する声登録要求信号、購入代金の支払を要求する支払要求信号、チケットの購入が拒否されたことを示す購入拒否信号又は完了したことを示す購入完了信号、声データ、認証情報、及びチケットの使用が拒否されたことを示す使用拒否信号又はチケットの使用が許可されてチケットを使用済みとすることを示す使用済信号等を受信する。
【００６８】
記憶部２０４は、例えば汎用のフラッシュメモリ等の不揮発性メモリ等から構成されている。記憶部２０４には、ネットワーク網１１を介してダウンロードされる本発明に係るアプリケーションプログラムが、事前にインストールされている。
【００６９】
制御部２０５は、例えばＣＰＵ（Central Processing Unit）、ＲＯＭ（Read Only Memory）、及びＲＡＭ（Random Access Memory）等から構成されている。ＣＰＵは、ＲＡＭをワークメモリとして用い、ＲＯＭに記憶されているプログラム及び記憶部２０４に記憶されているアプリケーションプログラム等を適宜実行することによって、端末装置１２−ｎの各種動作を制御する。
【００７０】
図９は、端末装置の制御部の機能ブロック図である。
【００７１】
本実施形態において、制御部２０５は、記憶部２０４に記憶されている本発明に係るアプリケーションプログラムを実行することによって、図９に示すように、会員情報入力部２１、会員認証要求部２２、イベント検索部２３、チケット購入部２４、マイチケット表示部２５、声紋認証部２６、及びもぎり部２７として機能する。
【００７２】
会員情報入力部２１は、ユーザが会員登録画面で会員情報を入力した後、会員登録を指示したことに応答して、会員情報を通信部２０３からネットワーク網１１を介してクラウドサーバ１０に送信する。
【００７３】
会員認証要求部２２は、会員登録を済ませたユーザがログイン画面で会員ＩＤ及びパスワード等を入力した後、ログインを指示したことに応答して、会員ＩＤ及びパスワード等を含む会員認証要求信号を通信部２０３からネットワーク網１１を介してクラウドサーバ１０に送信する。会員認証要求部２２は、クラウドサーバ１０からネットワーク網１１を介して送信される会員認証拒否信号を通信部２０３で受信した場合、チケット管理サイトへのログインが拒否されたとして、ログイン前の状態に戻る。これに対して、会員認証要求部２２は、クラウドサーバ１０からネットワーク網１１を介して会員認証許可信号を通信部２０３で受信した場合、チケット管理サイトへログインする。
【００７４】
イベント検索部２３は、チケット管理サイトへのログイン後、図３に示すイベント検索画面３００をタッチパネル２０２に表示する。イベント検索部２３は、ユーザが図３に示すイベント検索画面３００で参加を希望するイベントを選択したことに応答して、そのイベントに参加するためのチケットを識別するためのチケットＩＤ等を含むチケット情報要求信号を通信部２０３からネットワーク網１１を介してクラウドサーバ１０に送信する。そして、イベント検索部２３は、クラウドサーバ１０からネットワーク網１１を介して送信されるチケット情報を通信部２０３で受信したことに応答して、チケット情報に基づく、図４に示すチケット購入画面４００をタッチパネル２０２に表示する。
【００７５】
チケット購入部２４は、ユーザが図４に示すチケット購入画面４００でチケットの席種及び購入枚数を選択した後、チケットの購入を指示したことに応答して、ユーザの会員ＩＤ、チケットＩＤ、並びにチケットの席種及び購入枚数等を含むチケット購入要求信号を、通信部２０３からネットワーク網１１を介してクラウドサーバ１０に送信する。
【００７６】
チケット購入部２４は、クラウドサーバ１０からネットワーク網１１を介して送信される声登録要求信号を通信部２０３で受信したことに応答して、図５に示す声登録画面５００をタッチパネル２０２に表示する。チケット購入部２４は、ユーザが図５に示す声登録画面５００で声登録開始アイコン５０１をタップした後、声入力部２０１へ声が三回入力されたことに応答して、声が適切に入力された否かを確認するために、三つの声の声紋を照合して、声紋認証を行う。そして、チケット購入部２４は、声が適切に入力されことを確認した場合、会員ＩＤ、入力部２０２へ入力された声を示す声データ、認証結果、及びデータの有効性を保証するためのトークン等の不正検知データ等を含む声情報を、通信部２０３からネットワーク網１１を介してクラウドサーバ１０に送信する。
【００７７】
チケット購入部２４は、クラウドサーバ１０からネットワーク網１１を介して送信される支払要求信号を通信部２０３で受信したことに応答して、決済画面をタッチパネル２０２に表示する。そして、チケット購入部２４は、ユーザが決済画面で購入代金の決済を指示したことに応答して、決済要求信号を通信部２０３からネットワーク網１１を介して決済サーバ９に送信する。
【００７８】
チケット購入部２４は、クラウドサーバ１０からネットワーク網１１を介して送信される購入拒否信号を通信部２０３で受信したことに応答して、チケットの購入が拒否されたことを示す購入拒否画面を表示して、図４に示すチケット購入画面４００に戻る。これに対して、チケット購入部２４は、クラウドサーバ１０からネットワーク網１１を介して送信される購入完了信号を通信部２０３で受信したことに応答して、チケットの購入が完了したことを示す購入完了画面を表示して、チケット購入段階での手続きを完了する。
【００７９】
マイチケット表示部２５は、ユーザが図６に示すマイチケット画面６００でチケット表示アイコン６０２をタップしたことに応答して、購入ＩＤ等を含む購入情報要求信号を、通信部２０３からネットワーク網１１を介してクラウドサーバ１０に送信する。そして、マイチケット表示部２５は、クラウドサーバ１０からネットワーク網１１を介して送信される購入情報を通信部２０３で受信したことに応答して、購入情報に基づく、図７（ａ）に示す未認証チケット表示画面１３Ａをタッチパネル２０２に表示する。
【００８０】
声紋認証部２６は、ユーザが図８に示す声紋認証画面８００で声紋認証開始アイコン８０１をタップした後、声入力部２０１へ声を入力したことに応答して、チケットＩＤ及び声情報ＩＤ等を含む声データ要求信号を、通信部２０３からネットワーク網１１を介してクラウドサーバ１０に送信する。そして、声紋認証部２６は、クラウドサーバ１０からネットワーク網１１を介して送信される使用拒否信号を通信部２０３で受信したことに応答して、チケットの使用が拒否されたことを示す使用拒否画面を表示する。これに対して、声紋認証部２６は、クラウドサーバ１０からネットワーク網１１を介して送信される声データを通信部２０３で受信したことに応答して、声入力部２０１へ入力された声と、通信部２０３で受信した声データが示す声と、の声紋を照合する声紋認証を行って、チケットの使用者がチケットの購入者と同一人物であるか否かを判別する。
【００８１】
声紋認証部２６は、チケットの使用者がチケットの購入者と同一人物ではないと判別した場合、声紋認証による確認に失敗したことを示す認証失敗画面をタッチパネル２０２に表示する。これに対して、声紋認証部２６は、チケットの使用者がチケットの購入者と同一人物であると判別した場合、声紋認証による確認済みであることを示す認証済画面をタッチパネル１２１に表示する。そして、声紋認証部２６は、購入ＩＤ及び認証結果等を含む認証結果信号を、通信部２０３からネットワーク網１１を介してクラウドサーバ１０に送信する。
【００８２】
声紋認証部２６は、クラウドサーバ１０からネットワーク網１１を介して送信される認証情報を通信部２０３で受信したことに応答して、認証情報に基づく、図７（ｂ）に示す認証済チケット表示画面１３Ｂをタッチパネル２０２に表示することによって、チケットが有効であることを表示して、チケットを使用可能な状態にする。
【００８３】
もぎり部２７は、受付スタッフが図７（ｂ）に示す認証済チケット表示画面１３Ｂで「もぎり」のアイコン１９をタップしたことに応答して、チケットＩＤ及び購入ＩＤ等を含むもぎり信号を、通信部２０３からネットワーク網１１を介してクラウドサーバ１０に送信する。そして、もぎり手段２７は、クラウドサーバ１０からネットワーク網１１を介して送信される使用拒否信号を通信部２０３で受信したことに応答して、使用拒否画面をタッチパネル２０２に表示する。これに対して、もぎり手段２７は、クラウドサーバ１０からネットワーク網１１を介して送信される使用済信号を通信部２０３で受信したことに応答して、使用済チケット表示画面をタッチパネル２０２に表示する。
【００８４】
このように、端末装置１２−ｎは、イベント会場への入場直前にネットワーク網１１を介してクラウドサーバ１０にアクセスすることで、チケットの使用者がチケットの購入者と同一人物であることを認証するチケット認証装置としての機能を果たすことができる。また、端末装置１２−ｎは、図７（ｂ）に示す認証済チケット表示画面１３Ｂをタッチパネル２０２に表示することで、ユーザが購入したチケットを発行するチケット発行装置としての機能を果たすことができる。さらに、端末装置１２−ｎは、ユーザが受付場所で受付スタッフに、図７（ｂ）に示す認証済チケット表示画面１３Ｂを提示することで、チケットとしての機能を果たすことができる。そして、端末装置１２−ｎは、受付スタッフが「もぎり」のアイコン１９をタップすることで、「もぎり」としての機能を果たすことができる。
【００８５】
図１に示す決済サーバ９は、例えば汎用のサーバコンピュータ及びデータベース等から構成されている。決済サーバ９は、端末装置１２−ｎからネットワーク網１１を介して送信される決済要求信号を受信したことに応答して、購入代金の決済を行う。そして、決済サーバ９は、購入代金の決済が完了したことを示す決済完了信号をネットワーク網１１を介してクラウドサーバ１０に送信する。
【００８６】
クラウドサーバ１０は、ネットワーク網１１を介してチケットの発行及び管理を行うサービス業者側のコンピュータシステムであって、例えば汎用のサーバコンピュータ及びデータベース等から構成されている。
【００８７】
図１０は、クラウドサーバの構成例を示すブロック図である。
【００８８】
図１０に示すように、クラウドサーバ１０は、通信部１０１と、記憶部１０２と、制御部１０３と、を備え、これらはバスを介して接続されている。
【００８９】
通信部１０１は、例えばＮＩＣ（Network Interface Card）等から構成されている。通信部１０１は、ネットワーク網１１を介して端末装置１２−ｎと無線通信を行う。
【００９０】
本実施形態において、通信部１０１は、端末装置１２−ｎからネットワーク網１１を介して送信される会員情報、会員認証要求信号、チケット情報要求信号、チケット購入要求信号、声情報、購入情報要求信号、声データ要求信号、認証失敗信号又は認証済信号、並びにもぎり信号等を受信する。また、通信部１０１は、決済サーバ９からネットワーク網１１を介して送信される決済完了信号等を受信する。
【００９１】
さらに、通信部１０１は、会員認証拒否信号又は会員認証許可信号、チケット情報、声登録要求信号、支払要求信号、購入拒否信号又は購入完了信号、声データ、認証情報、及び使用拒否信号又は使用済信号等をネットワーク網１１を介して端末装置１２−ｎに送信する。
【００９２】
記憶部１０２は、例えばハードディスクドライブ等から構成されている。記憶部１０２には、会員管理ファイル４４、チケット情報ファイル４５、購入情報ファイル４６、認証結果管理ファイル４７、及び声情報ファイル４８等の各種データベース等が記憶されている。
【００９３】
図１１は、クラウドサーバのデータベース構成を例示する図である。
【００９４】
会員管理ファイル４４は、会員登録をしたユーザの会員情報等を管理するためのデータベースである。図１１（ａ）に示すように、会員管理ファイル４４には、会員情報（会員ＩＤ、メールアドレス、及びパスワード等）、最終ログイン日時（秒単位）、ログイン端末ＩＤ、及び不正検知データ等の各データが対応付けて格納されている。ここで、ログイン端末ＩＤは、会員管理ファイル４４に対応付けて登録されている会員情報を用いて、これまでにログインしたことのある端末装置を識別するためのものである。ログイン端末ＩＤは、不正ログインを検知するためのセキュリティ対策として格納される。
【００９５】
チケット情報ファイル４５は、チケット管理サイトで販売されているチケットの詳細を示すチケット情報を管理するためのデータベースである。図１１（ｂ）に示すように、チケット情報ファイル４５には、チケット情報として、チケットＩＤ、チケット名称、席種、イベントの開催日時（秒単位）、チケットの使用可能日時（秒単位）、開催住所、会場名、主催者、お問合せ先、支払先、支払種別、価格、在庫数、及び声標本ＩＤ等の各データが対応付けて格納されている。ここで、チケットの使用可能日時は、声紋認証及びもぎり処理をできる日時を、イベントの開催日時近辺に制限するものであって、席種毎に設定される。また、支払種別は、クレジットカード、代金引換、銀行振込、及び現地決済等の支払方法を示すものである。さらに、声標本ＩＤは、「ひらけごま」等といった登録する声のフレーズを管理するためのもので、チケットＩＤ毎に設定される。
【００９６】
購入情報ファイル４６は、会員登録をしたユーザによるチケットの購入情報を管理するためのデータベースである。図１１（ｃ）に示すように、購入情報ファイル４６には、購入情報として、購入ＩＤ、チケットＩＤ、会員ＩＤ、席種、座席情報、購入枚数、購入日時（秒単位）、声情報ＩＤ、支払種別、決済有効日時（秒単位）、決済状況フラグ、及びチケットの使用日時（秒単位）等の各データが対応付けて格納されている。本実施形態では、クレジットカードを使用して、決済サーバ９で購入代金の支払が行われる。また、決済状況フラグは、キャンセル待ち、決済待ち、及び決済完了等の購入代金の決済状況を示すものである。例えば、支払方法が代金引換、銀行振込、及び現地決済等である場合や、クレジットカード等による決済が失敗した場合等には、決済状況フラグの値が、決済待ちを示す値に更新される。使用日時は、チケットが使用されるまで、「未使用」とされ、使用されたときに、現在の時刻が使用日時として記憶される。
【００９７】
認証結果管理ファイル４７は、認証結果を管理するためのデータベースである。図１１（ｄ）に示すように、認証結果管理ファイル４７には、認証ＩＤ、購入ＩＤ、認証日時（認証時刻）、及び認証結果等の各データが対応付けて格納されている。
【００９８】
声情報ファイル４８は、チケットを購入したユーザの声情報を管理するためのデータベースである。図１１（ｅ）に示すように、声情報ファイル４８には、声情報ＩＤ、声データ、及び認証結果等の各データが対応付けて格納されている。
【００９９】
図１０に示す記憶部１０２は、認証時刻からの経過時間を計測するための声認証タイマ４９を記憶する。
【０１００】
制御部１０３は、例えばＣＰＵ、ＲＯＭ、及びＲＡＭ等から構成されている。ＣＰＵは、ＲＡＭをワークメモリとして用い、ＲＯＭに記憶されているプログラム及び記憶部１０２に記憶されているアプリケーションプログラム等を適宜実行することによって、クラウドサーバ１０の各種動作を制御する。
【０１０１】
図１２は、クラウドサーバの制御部の機能ブロック図である。
【０１０２】
本実施形態において、制御部１０３は、記憶部１０２に記憶されているアプリケーションプログラムを実行することによって、図１２に示すように、会員登録部３１、会員認証部３２、チケット情報送信部３３、チケット発行部３４、購入情報送信部３５、声データ送信部３６、認証情報送信部３７、及びタイマ整合性検査部３８として機能する。
【０１０３】
会員登録部３１は、端末装置１２−ｎからネットワーク網１１を介して送信される会員情報を通信部１０１で受信したことに応答して、会員情報に含まれる会員ＩＤ、メールアドレス、及びパスワード等の各データを対応付けて、図１１（ａ）に示す会員管理ファイル４４に格納することによって、会員登録を行う。
【０１０４】
会員認証部３２は、端末装置１２−ｎからネットワーク網１１を介して送信される会員認証要求信号を通信部１０１で受信したことに応答して、会員認証要求信号に含まれる会員ＩＤ及びパスワード等の各データが、図１１（ａ）に示す会員管理ファイル４４に対応付けて格納されているか否かによって、ユーザが正規の会員であるか否かを判別する。そして、会員認証部３２は、ユーザが正規の会員ではないと判別した場合、会員認証拒否信号を通信部１０１からネットワーク網１１を介して端末装置１２−ｎに送信する。これに対して、会員認証部３２は、ユーザが正規の会員であると判別した場合、会員認証許可信号を通信部１０１からネットワーク網１１を介して端末装置１２−ｎに送信して、端末装置１２−ｎのチケット管理サイトへのログインを可能にする。
【０１０５】
チケット情報送信部３３は、端末装置１２−ｎからネットワーク網１１を介して送信されるチケット情報要求信号を通信部１０１で受信したことに応答して、チケット情報要求信号に含まれるチケットＩＤに対応するチケット情報を、図１１（ｂ）に示すチケット情報ファイル４５から検出して、通信部１０１からネットワーク網１１を介して端末装置１２−ｎに送信する。
【０１０６】
チケット発行部３４は、端末装置１２−ｎからネットワーク網１１を介して送信されるチケット購入要求信号を通信部１０１で受信したことに応答して、声登録要求信号を通信部１０１からネットワーク網１１を介して端末装置１２−ｎに送信する。そして、チケット発行部３４は、端末装置１２−ｎからネットワーク網１１を介して送信される声情報を通信部１０１で受信したことに応答して、声情報に含まれる不正検知データに基づいて、声情報の有効性検査（不正検知）を行って、声情報が不正データであるか否かを判別する。
【０１０７】
チケット発行部３４は、声情報が不正データであると判別した場合、購入拒否信号を通信部１０１からネットワーク網１１を介して端末装置１２−ｎに送信する。これに対して、チケット発行部３４は、声情報が不正データではなく有効であると判別した場合、声情報ＩＤを付与して、声情報ＩＤ、並びに声情報に含まれる声データ及び認証結果等の各データを対応付けて、図１１（ｅ）に示す声情報ファイル４８に格納するとともに、声情報に含まれる会員ＩＤ及び不正検知データの各データを対応付けて、図１１（ａ）に示す会員管理ファイル４４に格納することによって、声情報を登録する。
【０１０８】
チケット発行部３４は、チケット購入要求信号に含まれるチケットの購入枚数を、予め設定されている制限枚数と比較する購入枚数の制限枚数検査を行って、購入枚数が規定の制限枚数以内であるか否かを判別する。チケット発行部３４は、購入枚数が規定の制限枚数を超えていると判別した場合、購入拒否信号を通信部１０１からネットワーク網１１を介して端末装置１２−ｎに送信する。これに対して、チケット発行部３４は、購入枚数が規定の制限枚数以内であると判別した場合、購入ＩＤを付与して、購入ＩＤ、チケット購入要求信号に含まれる会員ＩＤ、チケットＩＤ、席種、及び購入枚数等、並びに声情報ＩＤ等の各データを対応付けて、図１１（ｃ）に示す購入情報ファイル４６に格納する。
【０１０９】
チケット発行部３４は、チケット購入要求信号に含まれるチケットＩＤに対応するチケットの在庫数を、図１１（ｂ）に示すチケット情報ファイル４５から特定する。そして、チケット発行部３４は、チケット購入要求信号に含まれる購入枚数を在庫数と比較するチケットの購入在庫検査を行って、購入枚数が在庫数以内であるか否かを判別する。
【０１１０】
チケット発行部３４は、購入枚数が在庫数を超えていると判別した場合、図１１（ｃ）に示す購入情報ファイル４６に格納されている決済状況フラグの値を、キャンセル待ちを示す値に更新する。これに対して、チケット発行部３４は、購入枚数が在庫数以内であると判別した場合、決済状況フラグの値を、決済待ちを示す値に更新する。そして、チケット発行部３４は、決済状況フラグの値が、キャンセル待ちを示す値及び決済待ちを示す値のいずれであるかを判別する。
【０１１１】
チケット発行部３４は、決済状況フラグの値がキャンセル待ちを示す値であると判別した場合、購入在庫検査に戻る。これに対して、チケット発行部３４は、決済状況フラグの値が決済待ちを示す値であると判別した場合、チケット購入要求信号に含まれるチケットＩＤに対応するチケットの価格を、図１１（ｂ）に示すチケット情報ファイル４５から特定する。続いて、チケット発行部３４は、購入枚数及び価格等から購入代金を求める。そして、チケット発行部３４は、購入代金の支払を要求する支払要求信号を、通信部１０１からネットワーク網１１を介して端末装置１２−ｎに送信する。
【０１１２】
チケット発行部３４は、決済サーバ９からネットワーク網１１を介して送信される決済完了信号を通信部１０１で受信したことに応答して、決済状況フラグの値を、決済完了を示す値に更新する。そして、チケット発行部３４は、購入完了信号を通信部１０１からネットワーク網１１を介して端末装置１２−ｎに送信する。
【０１１３】
購入情報送信部３５は、端末装置１２−ｎからネットワーク網１１を介して送信される購入情報要求信号を通信部１０１で受信したことに応答して、購入情報要求信号に含まれる購入ＩＤに対応する購入情報を、図１１（ｃ）に示す購入情報ファイル４６から検出して、通信部１０１からネットワーク網１１を介して端末装置１２−ｎに送信する。
【０１１４】
声データ送信部３６は、端末装置１２−ｎからネットワーク網１１を介して送信される声データ要求信号を通信部１０１で受信したことに応答して、声データ要求信号に含まれるチケットＩＤに対応するチケットの使用可能日時を、図１１（ｂ）に示すチケット情報ファイル４５から特定する。そして、声データ送信部３６は、現在の時刻がチケットの使用可能日時の範囲内か否かを判別する。
【０１１５】
声データ送信部３６は、現在の時刻がチケットの使用可能日時の範囲外であると判別した場合、使用拒否信号を通信部１０１からネットワーク網１１を介して端末装置１２−ｎに送信する。これに対して、声データ送信部３６は、現在の時刻がチケットの使用可能日時の範囲外であると判別した場合、声データ要求信号に含まれる声情報ＩＤに対応する声データを、図１１（ｅ）に示す声情報ファイル４８から検出する。そして、声データ送信部３６は、声データを通信部１０１からネットワーク網１１を介して端末装置１２−ｎに送信する。
【０１１６】
認証情報送信部３７は、端末装置１２−ｎからネットワーク網１１を介して送信される認証結果信号を通信部１０１で受信したことに応答して、認証ＩＤを付与して、認証ＩＤ、認証結果信号に含まれる購入ＩＤ及び認証結果等、並びに認証時刻として現在の時刻等の各データを対応付けて、図１１（ｄ）に示す認証結果管理ファイル４７に格納する。また、認証情報送信部３７は、声認証タイマ４９を作動して、認証時刻からの経過時間を計測する。認証情報送信部３７は、認証結果信号に含まれる購入ＩＤに対応する購入情報を、図１１（ｃ）に示す購入情報ファイル４６から検出する。そして、認証情報送信部３７は、認証ＩＤ，認証時刻、及び購入情報等を含む認証情報を、通信部１０１からネットワーク網１１を介して端末装置１２−ｎに送信する。
【０１１７】
タイマ整合性検査部３８は、端末装置１２−ｎからネットワーク網１１を介して送信されるもぎり信号を通信部１０１で受信したことに応答して、もぎり信号に含まれるチケットＩＤに対応するチケットの使用可能日時を、図１１（ｂ）に示すチケット情報ファイル４５から特定する。そして、タイマ整合性検査部３８は、現在の時刻がチケットの使用可能日時の範囲内か否かを判別する。続いて、タイマ整合性検査部３８は、現在の時刻がチケットの使用可能日時の範囲内であると判別した場合、認証時刻からの経過時間が、予め設定されている制限時間以内であるか否かを判別する。
【０１１８】
タイマ整合性検査部３８は、現在の時刻がチケットの使用可能日時の範囲外であると判別した場合、又は認証時刻からの経過時間が制限時間を超えていると判別した場合、使用拒否信号を通信部１０１からネットワーク網１１を介して端末装置１２−ｎに送信する。これに対して、タイマ整合性検査部３８は、認証時刻からの経過時間が制限時間以内であると判別した場合、有効なチケットの使用であるとして、チケットの使用を許可し、図１１（ｃ）に示す購入情報ファイル４６において、もぎり信号に含まれる購入ＩＤに対応する使用日時に現在の時刻を記憶することによって、チケットを使用済に登録する。そして、タイマ整合性検査部３８は、使用済信号を通信部１０１からネットワーク網１１を介して端末装置１２−ｎに送信する。
【０１１９】
次に、上記構成を備えるチケット処理システム１００が実行する各種処理について図面を参照して説明する。
【０１２０】
図１３は、チケット処理システムが実行する処理シーケンス図である。
【０１２１】
図１３に示すように、チケット処理システム１００は、まず、会員登録処理を実行する（ステップＳ１）。会員登録処理において、ユーザは、端末装置１２−ｎのタッチパネル２０２に表示される会員登録画面で、会員ＩＤ、メールアドレス、及びパスワード等の会員情報を入力する。その後、ユーザが会員登録画面で会員登録を指示したことに応答して、端末装置１２−ｎでは、会員情報入力部２１が、会員情報を通信部２０３からネットワーク網１１を介してクラウドサーバ１０に送信する。そして、クラウドサーバ１０では、会員登録部３１が、端末装置１２−ｎからネットワーク網１１を介して送信される会員情報を通信部１０１で受信したことに応答して、会員情報に含まれる会員ＩＤ、メールアドレス、及びパスワード等の各データを対応付けて、図１１（ａ）に示す会員管理ファイル４４に格納することによって、会員登録を行う。
【０１２２】
会員登録後、ユーザは、端末装置１２−ｎのタッチパネル２０２に表示されるログイン画面で、会員ＩＤ及びパスワード等を入力する。その後、ユーザがログインを指示したことに応答して、端末装置１２−ｎでは、会員認証要求部２２が、会員ＩＤ及びパスワード等を含む会員認証要求信号を通信部２０３からネットワーク網１１を介してクラウドサーバ１０に送信する。クラウドサーバ１０では、会員認証部３２が、端末装置１２−ｎからネットワーク網１１を介して送信される会員認証要求信号を通信部１０１で受信したことに応答して、会員認証要求信号に含まれる会員ＩＤ及びパスワード等の各データが、図１１（ａ）に示す会員管理ファイル４４に対応付けて格納されているか否かによって、ユーザが正規の会員であるか否かを判別する。会員認証部３２は、ユーザが正規の会員であると判別した場合、会員認証許可信号を通信部１０１からネットワーク網１１を介して端末装置１２−ｎに送信する。そして、端末装置１２−ｎでは、会員認証要求部２２が、クラウドサーバ１０からネットワーク網１１を介して会員認証許可信号を通信部２０３で受信したことに応答して、チケット管理サイトへログインする。
【０１２３】
チケット管理サイトへのログイン後、ユーザは、図３に示すイベント検索画面３００において、参加を希望するイベントのカテゴリをタブ３０１で選択したり、検索条件をテキストボックス３０２を入力したりする等して、検索条件に一致するイベントを表示させる。そして、ユーザが図３に示すイベント検索画面３００で検索条件に一致するイベントの中から、参加を希望するイベントを選択したことに応答して、端末装置１２−ｎでは、イベント検索部２３が、そのイベントに参加するためのチケットを識別するためのチケットＩＤ等を含むチケット情報要求信号を通信部２０３からネットワーク網１１を介してクラウドサーバ１０に送信する。クラウドサーバ１０では、チケット情報送信部３３が、端末装置１２−ｎからネットワーク網１１を介して送信されるチケット情報要求信号を通信部１０１で受信したことに応答して、チケット情報要求信号に含まれるチケットＩＤに対応するチケット情報を、図１１（ｂ）に示すチケット情報ファイル４５から検出して、通信部１０１からネットワーク網１１を介して端末装置１２−ｎに送信する。そして、端末装置１２−ｎでは、イベント検索部２３が、クラウドサーバ１０からネットワーク網１１を介して送信されるチケット情報を通信部２０３で受信したことに応答して、チケット情報に基づく、図４に示すチケット購入画面４００をタッチパネル２０２に表示する。
【０１２４】
ユーザは、図４に示すチケット購入画面４００において、チケットの席種及び購入枚数を選択する。そして、ユーザが図４に示すチケット購入画面４００でチケットの購入を指示したことに応答して、チケット処理システム１００は、チケット購入処理を実行する（ステップＳ２）。
【０１２５】
図１４〜図１６は、チケット購入処理の詳細を示すフローチャートである。
【０１２６】
図１４に示すように、チケット購入処理を開始すると、まず、端末装置１２−ｎでは、チケット購入部２４が、ユーザの会員ＩＤ、チケットＩＤ、並びにチケットの席種及び購入枚数等を含むチケット購入要求信号を、通信部２０３からネットワーク網１１を介してクラウドサーバ１０に送信する（ステップＳ２０１）。
【０１２７】
クラウドサーバ１０では、チケット発行部３４が、端末装置１２−ｎからネットワーク網１１を介して送信されるチケット購入要求信号を通信部１０１で受信したことに応答して（ステップＳ２０２）、声登録要求信号を通信部１０１からネットワーク網１１を介して端末装置１２−ｎに送信する（ステップＳ２０３）。
【０１２８】
端末装置１２−ｎでは、チケット購入部２４が、クラウドサーバ１０からネットワーク網１１を介して送信される声登録要求信号を通信部２０３で受信したことに応答して（ステップＳ２０４）、図５に示す声登録画面５００をタッチパネル２０２に表示する（ステップＳ２０５）。
【０１２９】
その後、チケット購入部２４は、ユーザが図５に示す声登録画面５００で声登録開始アイコン５０１をタップした後、ガイダンス５０２に従ってフレーズ５０３を発声して声入力部２０１へ声が三回入力されたことに応答して（ステップＳ２０６；Ｙｅｓ）、声が適切に入力された否かを確認するために、三つの声の声紋を照合して、声紋認証を行う（ステップＳ２０７）。
【０１３０】
そして、チケット購入部２４は、声が適切に入力されことを確認した場合、会員ＩＤ、入力部２０２へ入力された声を示す声データ、認証結果、及びデータの有効性を保証するトークン等の不正検知データ等を含む声情報を、通信部２０３からネットワーク網１１を介してクラウドサーバ１０に送信する（ステップＳ２０８）。
【０１３１】
クラウドサーバ１０では、チケット発行部３４が、端末装置１２−ｎからネットワーク網１１を介して送信される声情報を通信部１０１で受信したことに応答して（ステップＳ２０９）、声情報に含まれる不正検知データに基づいて、声情報の有効性検査（不正検知）を行って、声情報が不正データであるか否かを判別する（ステップＳ２１０）。
【０１３２】
チケット発行部３４は、声情報が不正データではなく有効であると判別した場合（ステップＳ２１０；Ｙｅｓ）、声情報ＩＤを付与して、声情報ＩＤ、並びに声情報に含まれる声データ及び認証結果等の各データを対応付けて、図１１（ｅ）に示す声情報ファイル４８に格納するとともに、声情報に含まれる会員ＩＤ及び不正検知データの各データを対応付けて、図１１（ａ）に示す会員管理ファイル４４に格納して、声情報を登録する（ステップＳ２１１）。
【０１３３】
続いて、チケット発行部３４は、チケット購入要求信号に含まれるチケットの購入枚数を、予め設定されている制限枚数と比較する購入枚数の制限枚数検査を行って、購入枚数が規定の制限枚数以内であるか否かを判別する（ステップＳ２１２）。
【０１３４】
チケット発行部３４は、声情報が不正データであると判別した場合（ステップＳ２１０；Ｎｏ）、又は購入枚数が規定の制限枚数を超えていると判別した場合（ステップＳ２１２；Ｎｏ）、購入拒否信号を通信部１０１からネットワーク網１１を介して端末装置１２−ｎに送信する（図１５に示すステップＳ２１３）。
【０１３５】
端末装置１２−ｎは、チケット購入部２４が、クラウドサーバ１０からネットワーク網１１を介して送信される購入拒否信号を通信部２０３で受信したことに応答して（ステップＳ２１４）、チケットの購入が拒否されたことを示す購入拒否画面を表示してから（ステップＳ２１５）、チケット購入処理を終了する。
【０１３６】
これに対して、チケット発行部３４は、購入枚数が規定の制限枚数以内であると判別した場合（ステップＳ２１２；Ｙｅｓ）、購入ＩＤを付与して、購入ＩＤ、チケット購入要求信号に含まれる会員ＩＤ、チケットＩＤ、席種、及び購入枚数等、並びに声情報ＩＤ等の各データを対応付けて、図１１（ｃ）に示す購入情報ファイル４６に格納する（ステップＳ２１６）。
【０１３７】
続いて、チケット発行部３４は、チケット購入要求信号に含まれるチケットＩＤに対応するチケットの在庫数を、図１１（ｂ）に示すチケット情報ファイル４５から特定する（ステップＳ２１７）。
【０１３８】
そして、チケット発行部３４は、チケット購入要求信号に含まれる購入枚数を在庫数と比較するチケットの購入在庫検査を行って、購入枚数が在庫数以内であるか否かを判別する（ステップＳ２１８）。
【０１３９】
チケット発行部３４は、購入枚数が在庫数を超えていると判別した場合（ステップＳ２１８；Ｎｏ）、図１１（ｃ）に示す購入情報ファイル４６に格納されている決済状況フラグの値を、キャンセル待ちを示す値に更新する（ステップＳ２１９）。
【０１４０】
これに対して、チケット発行部３４は、購入枚数が在庫数以内であると判別した場合（ステップＳ２１８；Ｙｅｓ）、決済状況フラグの値を、決済待ちを示す値に更新する（ステップＳ２２０）。
【０１４１】
そして、チケット発行部３４は、決済状況フラグの値が、キャンセル待ちを示す値及び決済待ちを示す値のいずれであるかを判別する（ステップＳ２２１）。
【０１４２】
チケット発行部３４は、決済状況フラグの値がキャンセル待ちを示す値であると判別した場合（ステップＳ２２１；Ｎｏ）、ステップＳ２１８の購入在庫検査に戻る。
【０１４３】
これに対して、チケット発行部３４は、決済状況フラグの値が決済待ちを示す値であると判別した場合（ステップＳ２２１；Ｙｅｓ）、チケット購入要求信号に含まれるチケットＩＤに対応するチケットの価格を、図１１（ｂ）に示すチケット情報ファイル４５から特定して、購入枚数及び価格等から購入代金を求める（ステップＳ２２２）。
【０１４４】
そして、チケット発行部３４は、購入代金の支払を要求する支払要求信号を、通信部１０１からネットワーク網１１を介して端末装置１２−ｎに送信する（ステップＳ２２３）。
【０１４５】
端末装置１２−ｎは、チケット購入部２４が、クラウドサーバ１０からネットワーク網１１を介して送信される支払要求信号を通信部２０３で受信したことに応答して（ステップＳ２２４）、決済画面をタッチパネル２０２に表示する（図１６に示すステップＳ２２５）。
【０１４６】
そして、チケット購入部２４は、ユーザが決済画面で購入代金の決済を指示したことに応答して（ステップＳ２２６；Ｙｅｓ）、決済要求信号を通信部２０３からネットワーク網１１を介して決済サーバ９に送信する（ステップＳ２２７）。
【０１４７】
決済サーバ９は、端末装置１２−ｎからネットワーク網１１を介して送信される決済要求信号を受信したことに応答して（ステップＳ２２８）、購入代金の決済を行う（ステップＳ２２９）。
【０１４８】
そして、決済サーバ９は、購入代金の決済が完了したことを示す決済完了信号をネットワーク網１１を介してクラウドサーバ１０に送信する（ステップＳ２３０）。
【０１４９】
端末装置１２−ｎでは、チケット発行部３４が、決済サーバ９からネットワーク網１１を介して送信される決済完了信号を通信部１０１で受信したことに応答して（ステップＳ２３１）、決済状況フラグの値を、決済完了を示す値に更新する（ステップＳ２３２）。
【０１５０】
そして、チケット発行部３４は、購入完了信号を通信部１０１からネットワーク網１１を介して端末装置１２−ｎに送信する（ステップＳ２３３）。
【０１５１】
端末装置１２−ｎでは、チケット購入部２４が、クラウドサーバ１０からネットワーク網１１を介して送信される購入完了信号を通信部２０３で受信したことに応答して（ステップＳ２３４）、チケットの購入が完了したことを示す購入完了画面を表示してから（ステップＳ２３５）、チケット購入処理を終了する。
【０１５２】
チケットの購入後、ユーザが図６に示すマイチケット画面６００でチケット表示アイコン６０２をタップしたことに応答して、端末装置１２−ｎでは、マイチケット表示部２５が、購入ＩＤ等を含む購入情報要求信号を、通信部２０３からネットワーク網１１を介してクラウドサーバ１０に送信する。クラウドサーバ１０では、購入情報送信部３５が、端末装置１２−ｎからネットワーク網１１を介して送信される購入情報要求信号を通信部１０１で受信したことに応答して、購入情報要求信号に含まれる購入ＩＤに対応する購入情報を、図１１（ｃ）に示す購入情報ファイル４６から検出して、通信部１０１からネットワーク網１１を介して端末装置１２−ｎに送信する。そして、端末装置１２−ｎでは、マイチケット表示部２５が、クラウドサーバ１０からネットワーク網１１を介して送信される購入情報を通信部２０３で受信したことに応答して、購入情報に基づく、図７（ａ）に示す未認証チケット表示画面１３Ａをタッチパネル２０２に表示する。
【０１５３】
イベントの開催日のイベント会場への入場前に、ユーザは、図６に示すマイチケット画面６００でチケット使用アイコン６０３をタップして、図８に示す声紋認証画面をタッチパネル２０２に表示させる。そして、ユーザが図８に示す声紋認証画面８００で声紋認証開始アイコン８０１をタップした後、ガイダンス８０２に従ってフレーズ８０３を発声して声入力部２０１へ声を入力したことに応答して、チケット処理システム１００は、入場前声認証処理を実行する（図１３に示すステップＳ３）。
【０１５４】
図１７及び図１８は、入場前声認証処理の詳細を示すフローチャートである。
【０１５５】
図１７に示すように、入場前声認証処理を開始すると、まず、端末装置１２−ｎでは、声紋認証部２６が、チケットＩＤ及び声情報ＩＤ等を含む声データ要求信号を、通信部２０３からネットワーク網１１を介してクラウドサーバ１０に送信する（ステップＳ３０１）。
【０１５６】
クラウドサーバ１０では、声データ送信部３６が、端末装置１２−ｎからネットワーク網１１を介して送信される声データ要求信号を通信部１０１で受信したことに応答して（ステップＳ３０２）、声データ要求信号に含まれるチケットＩＤに対応するチケットの使用可能日時を、図１１（ｂ）に示すチケット情報ファイル４５から特定する（ステップＳ３０３）。
【０１５７】
そして、声データ送信部３６は、現在の時刻がチケットの使用可能日時の範囲内か否かを判別する（ステップＳ３０４）。
【０１５８】
声データ送信部３６は、現在の時刻がチケットの使用可能日時の範囲外であると判別した場合（ステップＳ３０４；Ｎｏ）、使用拒否信号を通信部１０１からネットワーク網１１を介して端末装置１２−ｎに送信する（ステップＳ３０５）。
【０１５９】
端末装置１２−ｎでは、声紋認証部２６が、クラウドサーバ１０からネットワーク網１１を介して送信される使用拒否信号を通信部２０３で受信したことに応答して（ステップＳ３０６）、チケットの使用が拒否されたことを示す使用拒否画面を表示してから（ステップＳ３０７）、入場前声認証処理を終了する。
【０１６０】
これに対して、声データ送信部３６は、現在の時刻がチケットの使用可能日時の範囲内であると判別した場合（ステップＳ３０４；Ｙｅｓ）、声データ要求信号に含まれる声情報ＩＤに対応する声データを、図１１（ｅ）に示す声情報ファイル４８から検出する（ステップＳ３０８）。
【０１６１】
そして、声データ送信部３６は、声データを通信部１０１からネットワーク網１１を介して端末装置１２−ｎに送信する（ステップＳ３０９）。
【０１６２】
端末装置１２−ｎでは、声紋認証部２６が、クラウドサーバ１０からネットワーク網１１を介して送信される声データを通信部２０３で受信したことに応答して（ステップＳ３１０）、声入力部２０１へ入力された声と、通信部２０３で受信した声データが示す声と、の声紋を照合する声紋認証を行って、チケットの使用者がチケットの購入者と同一人物であるか否かを判別する（ステップＳ３１１）。
【０１６３】
声紋認証部２６は、チケットの使用者がチケットの購入者と同一人物ではないと判別した場合（ステップＳ３１１；Ｎｏ）、声紋認証による確認に失敗したことを示す認証失敗画面をタッチパネル２０２に表示する（ステップＳ３１２）。
【０１６４】
これに対して、声紋認証部２６は、チケットの使用者がチケットの購入者と同一人物であると判別した場合（ステップＳ３１１；Ｙｅｓ）、声紋認証による確認済みであることを示す認証済画面をタッチパネル１２１に表示する（ステップＳ３１３）。
【０１６５】
そして、声紋認証部２６は、購入ＩＤ及び認証結果等を含む認証結果信号を、通信部２０３からネットワーク網１１を介してクラウドサーバ１０に送信する（図１８に示すステップＳ３１４）。
【０１６６】
クラウドサーバ１０では、認証情報送信部３７が、端末装置１２−ｎからネットワーク網１１を介して送信される認証結果信号を通信部１０１で受信したことに応答して（ステップＳ３１５）、認証ＩＤを付与して、認証ＩＤ、認証結果信号に含まれる購入ＩＤ及び認証結果等、並びに認証時刻として現在の時刻等の各データを対応付けて、図１１（ｄ）に示す認証結果管理ファイル４７に格納する（ステップＳ３１６）。
【０１６７】
続いて、認証情報送信部３７は、認証結果信号に含まれる認証結果によって、チケットの使用者がチケットの購入者と同一人物であるか否かを判別する（ステップＳ３１７）。
【０１６８】
認証情報送信部３７は、チケットの使用者がチケットの購入者と同一人物ではないと判別した場合（ステップＳ３１７；Ｎｏ）、そのまま入場前声認証処理を終了する。
【０１６９】
これに対して、認証情報送信部３７は、チケットの使用者がチケットの購入者と同一人物であると判別した場合（ステップＳ３１７；Ｙｅｓ）、声認証タイマ４９を作動して、認証時刻からの経過時間を計測する（ステップＳ３１８）。
【０１７０】
クラウドサーバ１０では、認証情報送信部３７が、認証結果信号に含まれる購入ＩＤに対応する購入情報を、図１１（ｃ）に示す購入情報ファイル４６から検出する（ステップＳ３１９）。
【０１７１】
そして、認証情報送信部３７は、認証ＩＤ、認証時刻、及び購入情報等を含む認証情報を、通信部１０１からネットワーク網１１を介して端末装置１２−ｎに送信する（ステップＳ３２０）。
【０１７２】
端末装置１２−ｎでは、声紋認証部２６が、クラウドサーバ１０からネットワーク網１１を介して送信される認証情報を通信部２０３で受信したことに応答して（ステップＳ３２１）、認証情報に基づく、図７（ｂ）に示す認証済チケット表示画面１３Ｂをタッチパネル２０２に表示することによって、チケットが有効であることを表示して、チケットを使用可能な状態にしてから（ステップＳ３２２）、入場前声認証処理を終了する。
【０１７３】
ユーザは、イベント会場への入場直前に受付場所で受付スタッフに、タッチパネル２０２に表示された図７（ｂ）に示す認証済チケット表示画面１３Ｂを提示する。受付スタッフは、図７（ｂ）に示す認証済チケット表示画面１３Ｂにおいて、イベントの歌手の画像ＳＢや、その他の画像、イベント名１４、認証ＩＤ１７Ｂ、認証日時（認証時刻）１８Ｂ等の、チケットが有効であることを示す画像が表示されているか否か等をチェックする。そして、受付スタッフが、ユーザが提示しているチケットが異常なく正しいものであると判断した場合、チケットの有効性を確認した証拠として、図７（ｂ）に示す認証済チケット表示画面１３Ｂで「もぎり」のアイコン１９をタップしたことに応答して、チケット処理システム１００は、チケット使用済登録処理を実行する（ステップＳ４）。
【０１７４】
図１９は、チケット使用済登録処理の詳細を示すフローチャートである。
【０１７５】
図１９に示すように、チケット使用済登録処理を開始すると、まず、端末装置１２−ｎでは、もぎり部２７が、チケットＩＤ及び購入ＩＤ等を含むもぎり信号を、通信部２０３からネットワーク網１１を介してクラウドサーバ１０に送信する（ステップＳ４０１）。
【０１７６】
クラウドサーバ１０では、タイマ整合性検査部３８が、端末装置１２−ｎからネットワーク網１１を介して送信されるもぎり信号を通信部１０１で受信したことに応答して（ステップＳ４０２）、もぎり信号に含まれるチケットＩＤに対応するチケットの使用可能日時を、図１１（ｂ）に示すチケット情報ファイル４５から特定する（ステップＳ４０３）。
【０１７７】
そして、タイマ整合性検査部３８は、現在の時刻がチケットの使用可能日時の範囲内か否かを判別する（ステップＳ４０４）。
【０１７８】
タイマ整合性検査部３８は、現在の時刻がチケットの使用可能日時の範囲内であると判別した場合（ステップＳ４０４；Ｙｅｓ）、認証時刻からの経過時間が、予め設定されている制限時間以内であるか否かを判別する（ステップＳ４０５）。
【０１７９】
タイマ整合性検査部３８は、現在の時刻がチケットの使用可能日時の範囲外であると判別した場合（ステップＳ４０４；Ｎｏ）、又は認証時刻からの経過時間が制限時間を超えていると判別した場合（ステップＳ４０５；Ｎｏ）、使用拒否信号を通信部１０１からネットワーク網１１を介して端末装置１２−ｎに送信する（ステップＳ４０６）。
【０１８０】
端末装置１２−ｎでは、もぎり手段２７が、クラウドサーバ１０からネットワーク網１１を介して送信される使用拒否信号を通信部２０３で受信したことに応答して（ステップＳ４０７）、使用拒否画面をタッチパネル２０２に表示してから（ステップＳ４０８）、チケット使用済登録処理を終了する。
【０１８１】
これに対して、タイマ整合性検査部３８は、認証時刻からの経過時間が制限時間以内であると判別した場合（ステップＳ４０５；Ｙｅｓ）、有効なチケットの使用であるとして、チケットの使用を許可し、図１１（ｃ）に示す購入情報ファイル４６において、もぎり信号に含まれる購入ＩＤに対応する使用日時に現在の時刻を記憶することによって（ステップＳ４０９）、チケットを使用済に登録する。
【０１８２】
タイマ整合性検査部３８は、使用済信号を通信部１０１からネットワーク網１１を介して端末装置１２−ｎに送信する（ステップＳ４１０）。
【０１８３】
そして、端末装置１２−ｎでは、もぎり手段２７が、クラウドサーバ１０からネットワーク網１１を介して送信される使用済信号を通信部２０３で受信したことに応答して（ステップＳ４１１）、使用済チケット表示画面をタッチパネル２０２に表示してから（ステップＳ４１２）、チケット使用済登録処理を終了する。
【０１８４】
この使用済チケット表示画面がタッチパネル２０２に表示されると、受付スタッフは、ユーザのイベント会場への入場を許可する。
【０１８５】
以上説明したように、本実施形態に係るチケット処理システム（同一人物判別システム）１００は、端末装置１２−ｎと、サーバ装置１０と、を具備する。端末装置１２−ｎとサーバ装置１０とは、ネットワーク網１１を介して接続されている。端末装置１２−ｎは、声を入力する声入力部２０１と、制御部２０５と、を備える。サーバ装置１０は、チケットの購入者（所定の権利の取得者）の声を記憶する声情報ファイル（声記憶部）４８と、制御部１０３と、を備える。
【０１８６】
端末装置１２−ｎの制御部２０５は、チケットの使用者（所定の権利の行使者）の声が声入力部２０１に入力されたことに応答して、チケットの購入者の声を示す声データを要求する声データ要求信号（声要求信号）をネットワーク網１１を介してサーバ装置１０に送信する。サーバ装置１０の制御部１０３は、端末装置１２−ｎからネットワーク網１１を介して送信される声データ要求信号を受信する。制御部１０３は、声データ要求信号が要求するチケットの購入者の声を声情報ファイル４８から検出し、ネットワーク網１１を介して端末装置１２−ｎに送信する。端末装置１２−ｎの制御部２０５は、サーバ装置１０からネットワーク網１１を介して送信されるチケットの購入者の声を受信（取得）する。制御部２０５は、チケットの使用者の声とチケットの購入者の声との声紋を照合して使用者が購入者と同一人物であるか否かを判別する。制御部２０５は、使用者が購入者と同一人物であると判別した場合、図７（ｂ）に示す認証済チケット表示画面１３Ｂをタッチパネル２０２に表示することによって、チケットを使用可能な状態にする。
【０１８７】
このように、本実施形態に係るチケット処理システム１００によれば、購入者以外の者がチケットを使用できないようになるので、チケットの転売を防止することができる。
【０１８８】
また、端末装置１２−ｎは、チケットが使用されるときにタップされる「もぎり」のアイコン１９を表示するタッチパネル２０２をさらに備える。サーバ装置１０は、チケットを使用可能な状態にしてからの経過時間を計測する声情報タイマ４９をさらに備える。そして、端末装置１２−ｎの制御部２０５は、「もぎり」のアイコン１９がタップされたことに応答して、「もぎり」のアイコン１９がタップされたことを示すもぎり信号（アイコンタップ信号）をネットワーク網１１を介してサーバ装置１０に送信する。サーバ装置１０の制御部１０３は、端末装置１２−ｎからネットワーク網１１を介して送信されるもぎり信号を受信したことに応答して、声情報タイマ４９によって計測された経過時間が所定の制限時間内か否かを判別する。制御部１０３は、経過時間が所定の制限時間内であると判別した場合、チケットの使用が許可されてチケットを使用済みとする使用済信号をネットワーク網１１を介して端末装置１２−ｎに送信する。端末装置１２−ｎの制御部２０５は、サーバ装置１０からネットワーク網１１を介して送信される使用済信号を受信したことに応答して、チケットを行使済みの状態にする。
【０１８９】
このように、スマートフォン等の端末装置１２−ｎは、ユーザ本人以外が操作しないという先入観があるが、本来、これは必須要件ではない。本実施形態に係るチケット処理システム１００は、端末装置１２−ｎをユーザ本人以外の受付スタッフももぎり操作することで、入場のときの専用の受付装置を不要にすることができる。また、転売を防止するためには、本人確認を厳重にする必要があるが、厳重にすればするほど、イベント会場への入場作業に時間が掛かり、待機行列が長くなる。チケット処理システム１００は、本人確認を並ぶ前、もしくは並んでいるときに行うことで、イベント会場への入場作業を本来の受付スタッフだけではなく、チケットの使用者であるユーザが一部行っていることになるが、その有効性を声情報タイマ４９で認定することができる。すなわち、声認証には、静かな場所が望ましいが、コンサート会場等のイベント会場は、騒がしい。そうすると、イベント会場で本人確認に声認証を用いることは、この相反する命題を解決しなければならず、不可能に思える。本実施形態に係るチケット処理システム１００は、声認証の有効性を声情報タイマ４９を用いて担保することで、静かな場所と、本人確認すべき場所と、を空間的に繋き、本来不可能と思われてきた本人認証をサービスとして提供できるようになった。
【０１９０】
また、タッチパネル２０２は、声紋認証によってチケットの使用者がチケットの購入者と同一人物であることの確認が取れているか否か、及びチケットを使用済みであるか否かに応じて、異なる画面を表示する。これにより、受付スタッフは、チケット購入段階等といった声紋認証による確認前の段階と、入場直前段階等といった声紋認証による確認後で「もぎり」の処置前の段階と、受付段階等といった「もぎり」の処置後の段階と、のいずれの処理段階であるかを比較的遠くから見ても識別できるようになる。
【０１９１】
さらに、端末装置１２−ｎの制御部２０５は、予め定められたチケットを使用可能な期間（チケットの使用可能日時）内であることを条件に、チケットの使用者の声とチケットの購入者の声との声紋を照合して使用者が購入者と同一人物であるか否かを判別する。
【０１９２】
また、端末装置１２−ｎの制御部２０５は、チケットの購入（取得）を要求するチケット購入要求信号（権利取得要求信号）をネットワーク網１１を介してサーバ装置１０に送信する。サーバ装置１０の制御部１０３は、端末装置１２−ｎからネットワーク網１１を介して送信されるチケット購入要求信号を受信したことに応答して、チケット購入要求信号が要求するチケットの購入枚数（取得数）が、所定の制限数内であるか否かを判別する。そして、制御部１０３は、所定の制限数内であると判別した場合、チケットの購入を許可する。
【０１９３】
さらに、本実施形態に係るチケット処理システム１００は、クラウドサーバ１０や端末装置１２−ｎとしてスマートフォンやパーソナルコンピュータ等の既存の装置をハードウェアとして使用する。ソフトウェアは、アプリケーションとして本発明を実現するソフトウェアに変更するだけで、容易に実現できる。しかも、チケットの確認時間を早く、手軽に行うことができるので、イベント会場における受付業務を最小限の人数で行うことができる。また、チケット発券において、声紋を符号化する等の特殊な装置を必要としない。一人当たりのチケットの購入枚数を制限できる等の転売防止の設定が容易にできる。
【０１９４】
なお、本発明は、上記の実施形態に限定されず、種々の変形、応用が可能である。以下、本発明に適用可能な上記の実施形態の変形態様について、説明する。
【０１９５】
上記の実施形態において、チケットの購入に使用される端末装置１２−ｎと、声紋認証に使用される端末装置１２−ｎと、は、同一のものとして説明した。しかしながら、本発明は、これに限定されるものではなく、チケットの購入に使用される端末装置１２−ｎと、声紋認証に使用される端末装置１２−ｎと、別のものであってもよい。すなわち、端末装置１２−ｎは、ネットワーク網１１に接続でき、ログインや認証処理を行うことができるものであれば、いずれでもよい。
【０１９６】
また、上記の実施形態において、端末装置１２−ｎの内部には、本発明に係るアプリケーションプログラムがインストールされ、チケットを使用するユーザの声と、チケットの購入者の声として登録されている声と、の声紋照合は、端末装置１２−ｎで行われるものとして説明した。しかしながら、本発明は、これに限定されるものではなく、端末装置１２−ｎの内部には、本発明に係るアプリケーションプログラムがインストールされていなくてもよい。この場合、チケットを使用するユーザの声と、チケットの購入者の声として登録されている声と、の声紋照合は、クラウドサーバ１０で行えばよい。
【０１９７】
図２０及び図２１は、入場前声認証処理の変形例を示すフローチャートである。
【０１９８】
図２０に示すように、入場前声認証処理を開始すると、まず、端末装置１２−ｎでは、制御部２０５が、チケットＩＤ、購入ＩＤ、声情報ＩＤ、及び声入力部２０１へ入力された声を示す声データ等を含み、声紋認証を要求する声紋認証要求信号を、通信部２０３からネットワーク網１１を介してクラウドサーバ１０に送信する（ステップＳ５０１）。
【０１９９】
クラウドサーバ１０では、制御部１０３が、クラウドサーバ１０からネットワーク網１１を介して送信された声紋認証要求信号を通信部１０１で受信したことに応答して（ステップＳ５０２）、声紋認証要求信号に含まれるチケットＩＤに対応するチケットの使用可能日時を、図１１（ｂ）に示すチケット情報ファイル４５から特定する（ステップＳ５０３）。
【０２００】
そして、制御部１０３は、現在の時刻がチケットの使用可能日時の範囲内か否かを判別する（ステップＳ５０４）。
【０２０１】
制御部１０３は、現在の時刻がチケットの使用可能日時の範囲外であると判別した場合（ステップＳ５０４；Ｎｏ）、使用拒否信号を通信部１０１からネットワーク網１１を介して端末装置１２−ｎに送信する（ステップＳ５０５）。
【０２０２】
端末装置１２−ｎでは、制御部２０５が、クラウドサーバ１０からネットワーク網１１を介して送信される使用拒否信号を通信部２０３で受信したことに応答して（ステップＳ５０６）、使用拒否画面を表示してから（ステップＳ５０７）、入場前声認証処理を終了する。
【０２０３】
これに対して、制御部１０３は、現在の時刻がチケットの使用可能日時の範囲内であると判別した場合（ステップＳ５０４；Ｙｅｓ）、声紋認証要求信号に含まれる声情報ＩＤに対応する声データを、図１１（ｅ）に示す声情報ファイル４８から検出する（ステップＳ５０８）。
【０２０４】
そして、制御部１０３は、声紋認証要求信号に含まれる声データが示す声と、図１１（ｅ）に示す声情報ファイル４８から検出した声データが示す声と、の声紋を照合して、チケットの使用者がチケットの購入者と同一人物であるか否かを判別する声紋認証を行う（ステップＳ５０９）。
【０２０５】
続いて、制御部１０３は、認証ＩＤを付与して、認証ＩＤ、声紋認証要求信号に含まれる購入ＩＤ、認証結果、及び認証時刻として現在の時刻等の各データを対応付けて、図１１（ｄ）に示す認証結果管理ファイル４７に格納する（ステップＳ５１０）。
【０２０６】
そして、制御部１０３は、チケットの使用者がチケットの購入者と同一人物ではないと判別した場合（ステップＳ５１１；Ｎｏ）、声紋認証による確認に失敗したことを示す認証失敗信号を、通信部１０１からネットワーク網１１を介して端末装置１２−ｎに送信する（ステップＳ５１２）。
【０２０７】
端末装置１２−ｎでは、制御部２０５が、クラウドサーバ１０からネットワーク網１１を介して送信された認証失敗信号を通信部１０１で受信したことに応答して（ステップＳ５１３）、認証失敗画面をタッチパネル２０２に表示してから（ステップＳ５１４）、入場前声認証処理を終了する。
【０２０８】
これに対して、制御部１０３は、チケットの使用者がチケットの購入者と同一人物であると判別した場合（ステップＳ５１１；Ｙｅｓ）、声紋認証による確認済みであることを示す認証済信号を、通信部１０１からネットワーク網１１を介して端末装置１２−ｎに送信する（図２１に示すステップＳ５１５）。
【０２０９】
端末装置１２−ｎでは、制御部２０５が、クラウドサーバ１０からネットワーク網１１を介して送信された認証済信号を通信部１０１で受信したことに応答して（ステップＳ５１６）、認証済画面をタッチパネル２０２に表示する（ステップＳ５１７）。
【０２１０】
また、制御部１０３は、声認証タイマ４９を作動して、認証時刻からの経過時間を計測する（ステップＳ５１８）。
【０２１１】
続いて、制御部１０３は、声紋認証要求信号に含まれる購入ＩＤに対応する購入情報を、図１１（ｃ）に示す購入情報ファイル４６から検出する（ステップＳ５１９）。
【０２１２】
そして、制御部１０３は、認証ＩＤ、認証時刻、及び購入情報等を含む認証情報を、通信部１０１からネットワーク網１１を介して端末装置１２−ｎに送信する（ステップＳ５２０）。
【０２１３】
端末装置１２−ｎでは、制御部２０５が、クラウドサーバ１０からネットワーク網１１を介して送信される認証情報を通信部２０３で受信したことに応答して（ステップＳ５２１）、認証情報に基づく、図７（ｂ）に示す認証済チケット表示画面１３Ｂをタッチパネル２０２に表示することによって、チケットが有効であることを表示してから（ステップＳ５２２）、入場前声認証処理を終了する。
【０２１４】
以上説明したように、変形例によるチケット処理システム（同一人物判別システム）１００は、端末装置１２−ｎと、サーバ装置１０と、を具備する。端末装置１２−ｎとサーバ装置１０とは、ネットワーク網１１を介して接続されている。端末装置１２−ｎは、声を入力する声入力部２０１と、制御部２０５と、を備える。サーバ装置１０は、チケットの購入者（所定の権利の取得者）の声を記憶する声情報ファイル（声記憶部）４８と、制御部１０３と、を備える。
【０２１５】
端末装置１２−ｎの制御部２０５は、チケットの使用者（所定の権利の行使者）の声が声入力部２０１に入力されたことに応答して、声紋認証を要求する声紋認証要求信号をネットワーク網１１を介してサーバ装置１０に送信する。サーバ装置１０の制御部１０３は、端末装置１２−ｎからネットワーク網１１を介して送信される声紋認証要求信号を受信する。制御部１０３は、声紋認証要求信号が要求するチケットの購入者の声を声情報ファイル４８から検出する。制御部１０３は、予め定められたチケットを使用可能な期間（使用可能日時）内であることを条件に、チケットの使用者の声とチケットの購入者の声との声紋を照合して使用者が購入者と同一人物であるか否かを判別する。制御部１０３は、使用者が購入者と同一人物であると判別した場合、声紋認証によってチケットの使用者がチケットの購入者と同一人物であることの確認が取れたことを示す声紋認証確認済信号をネットワーク網１１を介して端末装置１２−ｎに送信する。端末装置１２−ｎの制御部２０５は、サーバ装置１０からネットワーク網１１を介して送信される声紋認証確認済信号を受信したことに応答して、図７（ｂ）に示す認証済チケット表示画面１３Ｂをタッチパネル２０２に表示することによって、チケットを使用可能な状態にする。
【０２１６】
このように、本変形例に係るチケット処理システム１００によっても、購入者以外の者がチケットを使用できないようになるので、チケットの転売を防止することができる。
【０２１７】
上記の実施形態では、ユーザが図６に示すマイチケット画面６００でチケット使用アイコン６０３をタップした場合、図８に示す声紋認証画面８００がタッチパネル２０２に表示されるものとして説明した。しかしながら、本発明は、これに限定されるものではなく、端末装置１２−ｎが、イベントの開催日時から所定の範囲内の時刻に、イベント会場から所定の緯度及び経度の範囲内に進入した場合、図８に示す声紋認証画面８００がタッチパネル２０２に自動で表示されるものであってもよい。この場合、イベント会場から所定の緯度及び経度の範囲内に進入したか否かは、端末装置１２−ｎのＧＰＳ（Global Positioning System）機能によって判別されればよい。また、イベント会場から所定の緯度及び経度の範囲を示すデータは、図１１（ｂ）に示すチケット情報ファイル４５に席種に対応付けて格納されていればよい。
【０２１８】
また、チケット処理システム１００は、所定のＧＰＳ座標に存在することを、声紋認証とＧＰＳとを組み合わせて確認することによって、ユーザがそのＧＰＳ座標に存在することを認証することができるものであってもよい。ただし、どこかの建物等、意味のある領域にユーザが存在することを認証しようとする場合、その領域は、「ある形状」をしている。チケット処理システム１００は、この「ある形状」を円や多角形として近似して、ＧＰＳ座標である点が、この意味のある領域内に存在するかを計算することで、ユーザがそのＧＰＳ座標に存在することを認証する。ここで、円は、中心からの距離が「ある形状」の半径より小さいことで判定できる。また、多角形は、「二次元多角形領域内部に点が含まれるかどうかを判定」（http://qiita.com/kkdd/items/eda0a0a2386dc0549d7c）に記載のアルゴリズムで判定できる。なお、本明細書中に「二次元多角形領域内部に点が含まれるかどうかを判定」の記載を参考として取り込むものとする。このとき、チケット処理システム１００は、計算速度を速めるため、大きく区分けされた領域でまずは判定し、ＧＰＳ座標である点が、その領域に存在すれば細かい計算に進むアルゴリズムを使用する。チケット処理システム１００は、ＧＰＳ座標を、緯度と経度との差を距離として計算する近似式を使う場合、緯度の差による誤差が大きくなることなく計算速度を維持するため、緯度毎に距離換算テーブルを生成して、そのテーブルの係数値を使って距離を計算する。これにより、チケット処理システム１００は、声紋認証による本人確認と、ユーザが存在する場所と、を多角形として捉えることで、ユーザが存在する正しい場所を認証することができる。
【０２１９】
さらに、チケット処理システム１００は、他のサービスと連携することも可能である。チケット処理システム１００は、他のサービスと連携する場合、「もぎり」のアイコン１９を違うアイコンに変え、そのアイコンをタップしたときの挙動を変えればよい。アイコンを変えるときのタイプ、連携サービスのタイプ、及び連携サービスと連携するＵＲＬの値等の各データは、図１１（ｂ）に示すチケット情報ファイル４５に席種に対応付けて格納されていればよい。
【０２２０】
また、チケット処理システム１００は、声紋認証に成功したときに、セキュリティコードを発行するものであってもよい。一般に、セキュリティコードの発行は、使用サービスのログイン成功を契機に、実行されることが多い。このとき、ほとんどの場合、パーソナルコンピュータ等にパスワードを保存していたり、どこかにメモしていたりすることが多く、セキュリティコードをメールで受け取ることは、発行記録が残るものの、本当の意味で安全とは言えない。そこで、チケット処理システム１００は、声紋認証に成功したときに、セキュリティコードを発行することで、声紋認証による確実な本人認証後に行われる安全なセキュリティコードの発行と、二つのデバイスによる高いセキュリティレベルの二段階認証と、を両立するようにしてもよい。
【０２２１】
上記の変形例において、チケット処理システム１００は、外部の連携サービスのサーバにネットワーク網１１を介して接続されている。
【０２２２】
連携サービスのサーバは、例えば汎用のサーバコンピュータ及びデータベース等から構成されている。連携サービスのサーバは、クラウドサーバ１０からネットワーク網１１を介して送信される、セキュリティコードの発行を依頼するセキュリティコード発行依頼信号を受信したことに応答して、連携サービスのサイトへログインするのに必要なセキュリティコードを生成する。連携サービスのサーバは、セキュリティコードを電子メールに添付して、ネットワーク網１１を介して端末装置１２−ｎに送信する。そして、連携サービスのサーバは、端末装置１２−ｎからネットワーク網１１を介して送信されるセキュリティコードを受信したことに応答して、端末装置１２−ｎの連携サービスのサイトへのログインを可能にする。
【０２２３】
チケット処理システム１００において、クラウドサーバ１０では、制御部１０３が、図１８に示すステップＳ３２０の処理、又は図２１に示すステップＳ５２０の処理を実行した後に、セキュリティコード発行処理を実行する。
【０２２４】
図２２は、セキュリティコード発行処理の詳細を示すフローチャートである。
【０２２５】
図２２に示すように、セキュリティコード発行処理を開始すると、まず、制御部１０３は、予め設定されるセキュリティコード生成モードが、セキュリティコードを自己で発行する自己発行モードであるか、セキュリティコードの発行を連携サービスに依頼する発行依頼モードであるかを判別する（ステップＳ６０１）。
【０２２６】
制御部１０３は、セキュリティコード生成モードが自己発行モードであると判別した場合（ステップＳ６０１；Ｎｏ）、セキュリティコードを生成する（ステップＳ６０２）。
【０２２７】
そして、制御部１０３は、セキュリティコードを電子メールに添付して、通信部１０１からネットワーク網１１を介して端末装置１２−ｎに送信する（ステップＳ６０３）。
【０２２８】
これに対して、制御部１０３は、セキュリティコード生成モードが発行依頼モードであると判別した場合（ステップＳ６０１；Ｙｅｓ）、セキュリティコード発行依頼信号を、通信部１０１からネットワーク網１１を介して、連携サービスのサーバ８に送信する（ステップＳ６０４）。
【０２２９】
連携サービスのサーバ８は、クラウドサーバ１０からネットワーク網１１を介して送信されるセキュリティコード発行依頼信号を受信したことに応答して（ステップＳ６０５）、セキュリティコードを生成する（ステップＳ６０６）。
【０２３０】
そして、連携サービスのサーバ８は、セキュリティコードを電子メールに添付して、ネットワーク網１１を介して端末装置１２−ｎに送信する（ステップＳ６０７）。
【０２３１】
端末装置１２−ｎでは、制御部２０５が、クラウドサーバ１０又は連携サービスのサーバ８からネットワーク網１１を介して送信される電子メールに添付されるセキュリティコードを受信する（ステップＳ６０８）。
【０２３２】
そして、制御部２０５は、ユーザがセキュリティコードを使用して連携サービスのサイトへのログインを指示したことに応答して、セキュリティコードを通信部２０３からネットワーク網１１を介して連携サービスのサーバ８に送信することによって、連携サービスのサイトへログインしてから（ステップＳ６０９）、セキュリティコード発行処理を終了する。
【０２３３】
以上説明したように、本変形例に係るチケット処理システム１００は、連携サービスのサイトへログインするためのセキュリティコードを生成して端末装置１２−ｎに送信する連携サービスのサーバ８にネットワーク網１１を介して接続されている。
【０２３４】
サーバ装置１０の制御部１０３は、声紋認証によってチケットの使用者がチケットの購入者と同一人物であることの確認が取れた場合、連携サービスのサイトへログインするためのセキュリティコードを生成して、ネットワーク網１１を介して端末装置１２−ｎに送信する。端末装置１２−ｎの制御部２０５は、サーバ装置１０からネットワーク網１１を介して送信されるセキュリティコードを受信し、セキュリティコードを使用して連携サービスのサイトへログインするようにしてもよい。
【０２３５】
あるいは、サーバ装置１０の制御部１０３は、声紋認証によってチケットの使用者がチケットの購入者と同一人物であることの確認が取れた場合、セキュリティコードを生成を要求するセキュリティコード生成要求信号をネットワーク網１１を介して連携サービスのサーバ８に送信する。端末装置１２−ｎの制御部２０５は、連携サービスのサーバ８からネットワーク網１１を介して送信されるセキュリティコードを受信し、セキュリティコードを使用して連携サービスのサイトへログインするようにしてもよい。
【０２３６】
さらに、チケットがキャンセルされたときには、通常、キャンセル料が発生する。そこで、チケット処理システム１００は、キャンセルされたチケットを他の人が買うときに、そのキャンセル料を引いた値段で買えるようにすることで、チケットの売れ残りを防ぐようにしてもよい。この場合、チケットの席種毎に、キャンセル料と割引値とを設定できるようにしておき、キャンセルテーブルにキャンセル履歴を保存することで、割引チケットがあるかどうかを判定し、割引チケットがあれば、割引チケットを優先して販売する。このデータベースは、席種ごとに設定すればよい。
【０２３７】
また、クラウドサーバ１０は、購入情報を図１１（ｃ）に示す購入情報ファイル４６に保存するときに、購入できなかったユーザの会員ＩＤも時系列に保存しておく。そして、クラウドサーバ１０は、キャンセルが発生したときに、時系列が先の順に、チケットのキャンセルが発生したことを知らせる案内を発行して販売するようにしてもよい。クラウドサーバ１０は、席種毎に図１１（ｃ）に示す購入情報ファイル４６に設定された時間になったときや、購入権を持った予約者であるユーザが端末装置１２−ｎでチケットを買わないことを指示するアイコンをタップしたときに、次の順番の予約者であるユーザに購入権を移して、その端末装置１２−ｎに案内を送信する。これを繰り返し、予約者であるユーザの誰もが購入権を行使しなかったときに、一般販売されるようにしてもよい。
【０２３８】
さらに、クラウドサーバ１０は、「もぎり」の処置が行われた順に、番号を付与してもよく、こうすることで、ユーザも主催者も席順を把握できるようになる。クラウドサーバ１０は、席種毎にエリアを定義しておいて、受付スタッフによる「もぎり」の処理の後に、そのエリア内で自動で番号を付与し、欠番も設定できるようにする。このデータベースは、席種毎に設定すればよい。エリアの指定は、自動ではなく、受付スタッフが「もぎり」の処置の後に、手動で選択できるユーザインタフェースを端末装置１２−ｎに表示する方法も可能である。受付スタッフがエリアを選択すると、エリア毎に自動で番号が採番され、その番号が、ユーザと受付スタッフとに表示されればよい。
【０２３９】
また、チケットが無効になる日時を、主催者が設定できるようにして、その無効となる日時までは、声紋認証を再度実行することで、再入場できるようにしてもよい。チケット使用後（正常な「もぎり」の処置の後）に、再度チケットを使用しようとする場合、チケットが無効と設定してある日時までは、端末装置１２−ｎには、自動的に再入場を確認するために、図８に示す声紋認証画面８００が表示されるようにすればよい。このデータベースは、席種毎に設定すればよい。
【０２４０】
さらに、コンサート等のイベントが始まる前日や直前等に、お忘れ防止のため、主催者が通知（ＰＵＳＨ、メール）を発信できるようにしてもよい。この通知には、「遅刻しそうなので待っていてください。」等、主催者への連絡するための手段（ＵＲＬ（Uniform Resource Locator）リンク等）が含まれ、主催者の連絡に対して、ユーザが連絡手段を探すことなく返信できるようにすればよい。主催者は、この連絡手段に、連絡の緊急度を設定でき、ユーザは、煩わしさを解消するため、受け取る緊急度を、自由に選択・設定できるようにしてもよい。このデータベースは、席種毎に設定すればよい。
【０２４１】
また、クラウドサーバ１０は、声紋登録の際の声情報に、実際に発音した声を録音しておき、暗号化を施して、図１１（ｅ）に示す声情報ファイルに保存しておいてもよい。仮に声紋認証に失敗した場合等、主催者がユーザの本人確認したいとき等に、この録音した声を聞くことができ、「もぎり」の処置を行う受付スタッフが、ユーザの本人確認するとき等の情報とすることができる。
【０２４２】
さらに、端末装置１２−ｎは、声登録と声紋認証との際に、ユーザが発声するフレーズをタッチパネル２０２に表示する。その場合、端末装置１２−ｎ又はクラウドサーバ１０は、ユーザがきちんとタッチパネル２０２に表示しているフレーズを発声しているかを、音声認識技術で確認することで、声紋認証の確度とシステムの保全とを行うようにしてもよい。
【０２４３】
また、直行直帰する際、普通のログインであると他人が容易に偽装できるが、声紋認証を使うことで、本人の端末装置１２−ｎだけで特別な装置を必要とせず、正しく本人確認できる。
【０２４４】
さらに、今までは、サプライズプレゼントに本人だけに開けられる箱としては、鍵を渡したりしなければならないという問題があった。この問題に解決するための方法として、音声入力によるパスフェーズでの開錠や顔認証による開錠が考えられる。しかしながら、パスフェーズによる開錠は、本人の声でなくても開いてしまうので、周りに人がいる場所では役に立たない。また、顔認証による開錠は、顔認証では顔が写った瞬間に開いてしまうという新たな問題が生じる。そこで、声紋認証という本人認証と、言葉のフレーズと、の組み合わせることによって、開いて欲しいタイミングでのみ開錠可能な錠前と鍵との組み合わせを提供することができる。それのみならず、この生体認証に必要な声紋は、相手に知られずこっそりとサンプリングすることが可能であり、サプライズのために相手に知られずに鍵を生成することもできる。
【０２４５】
また、今までは、出席を取る際に不正に代返をするという問題があった。この問題に解決するため方法として、電子カードによる本人確認や顔認証による本人確認が考えられる。しかしながら、電子カードによる本人確認は、電子カードを他人に渡すことで不正することができてしまう。顔認証による本人確認には、２Ｄ／３Ｄプリンタによる顔画像の複製で誤認識させることができるという新たな問題が生じる。そこで、マイク以外の特別なデバイスを必要としない声紋認証による比較的実現が容易な本人確認によって、安価でスムーズな本人認証を行うことができる。また、この音声を学校や職場で発音することによる挨拶運動の促進と形式化による学校・職場等の環境を明るくすることもできる。
【０２４６】
上記の実施形態では、所定の権利として、イベントに参加するためのチケットを例示したが、本発明は、これに限定されるものではなく、行使可能な権利であれば任意である。
【０２４７】
また、上記の実施形態において、制御部１０３及び制御部２０５のＣＰＵが実行するプログラムは、予めＲＯＭ、記憶部１０２及び記憶部２０４等に記憶されるものとして説明したが、本発明はこれに限定されるものではなく、上述の処理を実行させるためのプログラムを、既存の汎用コンピュータに適用することで、上記の実施形態に係るクラウドサーバ１０及び端末装置１２−ｎとして機能させてもよい。
【０２４８】
このようなプログラムの提供方法は任意であり、例えばコンピュータが読取可能な記録媒体（フレキシブルディスク、ＣＤ（Compact Disc）−ＲＯＭ、ＤＶＤ（Digital Versatile Disc）−ＲＯＭ等）に格納して配布してもよいし、インターネット等のネットワーク上のストレージにプログラムを格納しておき、これをダウンロードさせることにより提供してもよい。
【０２４９】
さらに、上記の処理をＯＳ（Operating System）とアプリケーションプログラムとの分担、又はＯＳとアプリケーションプログラムとの協働によって実行する場合には、アプリケーションプログラムのみを記録媒体やストレージに格納してもよい。また、搬送波にプログラムを重畳し、ネットワークを介して配信することも可能である。例えば、ネットワーク上の掲示板（ＢＢＳ：Bulletin Board System）に上記プログラムを掲示し、ネットワークを介してプログラムを配信してもよい。そして、このプログラムを起動し、ＯＳの制御下で、他のアプリケーションプログラムと同様に実行することにより、上記の処理を実行できるように構成してもよい。
【０２５０】
なお、本発明は、本発明の広義の精神と範囲を逸脱することなく、様々な実施の形態及び変形が可能とされるものである。また、上述した実施の形態は、本発明の一実施例を説明するためのものであり、本発明の範囲を限定するものではない。
【０２５１】
本出願は、２０１６年１２月６日に出願された日本国特許出願２０１６−２４９９９７に基づく。本明細書中に日本国特許出願２０１６−２４９９９７の明細書、特許請求の範囲、図面全体を参照として取り込むものとする。
【符号の説明】
【０２５２】
８      連携サービスのサーバ
９      決済サーバ
１０      クラウドサーバ
１１      ネットワーク網
１２−ｎ  端末装置
１３Ａ    未認証チケット表示画面
１３Ｂ    認証済チケット表示画面
１４      イベント名
１５      席種
１６      認証済表示
１７Ａ    購入ＩＤ
１７Ｂ    認証ＩＤ
１８Ａ    購入日時
１８Ｂ    認証日時
１９      「もぎり」のアイコン
２１      会員情報入力部
２２      会員認証要求部
２３      イベント検索部
２４      チケット購入部
２５      マイチケット表示部
２６      声紋認証部
２７      もぎり部
３１      会員登録部
３２      会員認証部
３３      チケット情報送信部
３４      チケット発行部
３５      購入情報送信部
３６      声データ送信部
３７      認証情報送信部
３８      タイマ整合性検査部
４４      会員管理ファイル
４５      チケット情報ファイル
４６      購入情報ファイル
４７      認証結果管理ファイル
４８      声情報ファイル
４９      声認証タイマ
１００      チケット処理システム
１０１      通信部
１０２      記憶部
１０３      制御部
２０１      声入力部
２０２      タッチパネル
２０３      通信部
２０４      記憶部
２０５      制御部
３００      イベント検索画面
３０１      タブ
３０２      テキストボックス
４００      チケット購入画面
４０１      イベントの画像
４０２      イベント名
４０３      イベントの概要
４０４      席種
５００      声登録画面
５０１      声登録開始アイコン
５０２      ガイダンス
５０３      フレーズ
６００      マイチケット画面
６０１      チケットの概要
６０２      チケット表示アイコン
６０３      チケット使用アイコン
８００      声紋認証画面
８０１      声紋認証開始アイコン
８０２      ガイダンス
８０３      フレーズ
【図１】
2018105600.tif 000003
【図２】
2018105600.tif 000004
【図３】
2018105600.tif 000005
【図４】
2018105600.tif 000006
【図５】
2018105600.tif 000007
【図６】
2018105600.tif 000008
【図７】
2018105600.tif 000009
【図８】
2018105600.tif 000010
【図９】
2018105600.tif 000011
【図１０】
2018105600.tif 000012
【図１１】
2018105600.tif 000013
【図１２】
2018105600.tif 000014
【図１３】
2018105600.tif 000015
【図１４】
2018105600.tif 000016
【図１５】
2018105600.tif 000017
【図１６】
2018105600.tif 000018
【図１７】
2018105600.tif 000019
【図１８】
2018105600.tif 000020
【図１９】
2018105600.tif 000021
【図２０】
2018105600.tif 000022
【図２１】
2018105600.tif 000023
【図２２】
2018105600.tif 000024
【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
所定の権利の取得者の声を記憶するサーバ装置（１０）にネットワーク（１１）を介して接続された端末装置（１２−ｎ）であって、
声を入力する声入力部（２０１）と、
前記所定の権利の行使者の声が前記声入力部（２０１）に入力されたことに応答して、前記サーバ装置（１０）に記憶されている前記所定の権利の取得者の声を前記ネットワーク（１１）を介して取得し、前記行使者の声と前記取得者の声との声紋を照合して該行使者が該取得者と同一人物であるか否かを判別し、前記行使者が前記取得者と同一人物であると判別した場合、前記所定の権利を行使可能な状態にする端末制御部（２０５）と、
を備え、
前記端末制御部（２０５）は、前記所定の権利を行使可能な状態にした後、
所定の制限時間以内に、前記所定の権利が行使されたことに応答して、前記所定の権利を行使済みの状態とし、
前記所定の制限時間を超えて、前記所定の権利が行使されたことに応答して、前記所定の権利の行使を拒否する状態にする、
端末装置（１２−ｎ）。
【請求項２】
（削除）
【請求項３】
（削除）
【請求項４】
タッチパネル（２０２）を、さらに備え、
前記タッチパネル（２０２）は、前記声紋認証によって前記行使者が前記取得者と同一人物であることの確認が取れているか否か、及び前記所定の権利を行使済みであるか否かに応じて、異なる画面を表示する、
請求項１に記載の端末装置（１２−ｎ）。
【請求項５】
前記端末制御部（２０５）は、予め定められた前記所定の権利を行使可能な期間内であることを条件に、前記行使者の声と前記取得者の声との声紋を照合して該行使者が該取得者と同一人物であるか否かを判別する、
請求項１又は４に記載の端末装置（１２−ｎ）。
【請求項６】
（削除）
【請求項７】
（削除）
【請求項８】
請求項１、４、及び５のいずれか１項に記載の端末装置（１２−ｎ）と、前記端末装置（１２−ｎ）とネットワーク（１１）を介して接続されたサーバ装置（１０）と、を具備する同一人物判別システム（１００）であって、
前記端末装置（１２−ｎ）の前記端末制御部（２０５）は、前記所定の権利の行使者の声が前記声入力部（２０１）に入力されたことに応答して、該所定の権利の取得者の声を要求する声要求信号を、前記ネットワーク（１１）を介して前記サーバ装置（１０）に送信し、
前記サーバ装置（１０）から前記ネットワーク（１１）を介して送信される前記取得者の声を受信し、
前記サーバ装置（１０）は、
前記所定の権利の取得者の声を記憶する声記憶部（４８）と、
前記端末装置（１２−ｎ）から前記ネットワーク（１１）を介して送信される前記声要求信号を受信し、前記声要求信号が要求する前記所定の権利の取得者の声を前記声記憶部（４８）から検出し、前記行使者の声と前記取得者の声との声紋を照合して該行使者が該取得者と同一人物であるか否かを判別し、前記行使者が前記取得者と同一人物であると判別した場合、前記声紋認証によって前記行使者が前記取得者と同一人物であることの確認が取れたことを示す声紋認証確認済信号を、前記ネットワーク（１１）を介して前記端末装置（１２−ｎ）に送信するサーバ制御部（１０３）と、
前記所定の権利を行使可能な状態にしてからの経過時間を計測するタイマ（４９）と、
を備え、
前記端末制御部（２０５）は、
前記所定の権利が行使されたことに応答して、所定の権利が行使されたことを示す信号を、前記ネットワーク（１１）を介して前記サーバ装置（１０）に送信し、
前記サーバ制御部（１０３）は、
前記端末装置（１２−ｎ）から前記ネットワーク（１１）を介して送信される前記所定の権利が行使されたことを示す信号を受信したことに応答して、前記タイマ（４９）によって計測された前記経過時間が所定の制限時間以内か否かを判別し、
前記経過時間が前記所定の制限時間以内であると判別した場合、前記所定の権利を行使済みとする行使済信号を、前記ネットワーク（１１）を介して前記端末装置（１２−ｎ）に送信し、
前記経過時間が前記所定の制限時間を超えていると判別した場合、前記所定の権利の行使を拒否する行使拒否信号を、前記ネットワーク（１１）を介して前記端末装置（１２−ｎ）に送信し、
前記端末制御部（２０５）は、
前記サーバ装置（１０）から前記ネットワーク（１１）を介して送信される前記行使済信号を受信したことに応答して、前記所定の権利を行使済みの状態にし、
前記サーバ装置（１０）から前記ネットワーク（１１）を介して送信される前記行使拒否信号を受信したことに応答して、前記所定の権利の行使を拒否する状態にする、
同一人物判別システム（１００）。
【請求項９】
（削除）
【請求項１０】
（削除）
【請求項１１】
前記端末制御部（２０５）は、前記所定の権利の取得を要求する権利取得要求信号を前記ネットワーク（１１）を介して前記サーバ装置（１０）に送信し、
前記サーバ制御部（１０３）は、前記端末装置（１２−ｎ）から前記ネットワーク（１１）を介して送信される前記権利取得要求信号を受信したことに応答して、該権利取得要求信号が要求する権利の取得数が、所定の制限数内であるか否かを判別し、前記所定の制限数内であると判別した場合、前記所定の権利の取得を許可する、
請求項８に記載の同一人物判別システム（１００）。
【請求項１２】
前記サーバ制御部（１０３）は、前記声紋認証によって前記行使者が前記取得者と同一人物であることの確認が取れた場合、所定のサイトへログインするためのセキュリティコードを生成して、前記ネットワーク（１１）を介して前記端末装置（１２−ｎ）に送信し、
前記端末制御部（２０５）は、前記サーバ装置（１０）から前記ネットワーク（１１）を介して送信される前記セキュリティコードを受信し、前記セキュリティコードを使用して前記所定のサイトへログインする、
請求項８又は１１に記載の同一人物判別システム（１００）。
【請求項１３】
所定のサイトへログインするためのセキュリティコードを生成して前記端末装置（１２−ｎ）に送信するセキュリティコード生成装置（８）に前記ネットワーク（１１）を介して接続され、
前記サーバ制御部（１０３）は、前記声紋認証によって前記行使者が前記取得者と同一人物であることの確認が取れた場合、前記セキュリティコードを生成を要求するセキュリティコード生成要求信号を前記ネットワーク（１１）を介して前記セキュリティコード生成装置（８）に送信し、
前記端末制御部（２０５）は、前記セキュリティコード生成装置（８）から前記ネットワーク（１１）を介して送信される前記セキュリティコードを受信し、前記セキュリティコードを使用して前記所定のサイトへログインする、
請求項８、１１、及び１２のいずれか１項に記載の同一人物判別システム（１００）。
【請求項１４】
（削除）
【請求項１５】
（削除）
【請求項１６】
（削除）
【請求項１７】
（削除）
【請求項１８】
前記サーバ制御部（１０３）は、予め定められた前記所定の権利を行使可能な期間内であることを条件に、前記行使者の声と前記取得者の声との声紋を照合して該行使者が該取得者と同一人物であるか否かを判別する、
請求項８、１１、１２、及び１３のいずれか１項に記載の同一人物判別システム（１００）。
【手続補正３】
【補正対象書類名】明細書
【補正対象項目名】０００１
【補正方法】変更
【補正の内容】
【０００１】
技術分野
［０００１］
本発明は、端末装置、及び同一人物判別システムに関し、特に、権利の移転を防止できる端末装置、及び同一人物判別システムに関する。
背景技術
［０００２］
スポーツ競技、コンサート、各種興行等のイベントを開催する場合に、そのチケットがチケット販売窓口の他、電話やインターネット等を通して前売りされる。このようなチケット販売の際、使用するつもりのない購入者がチケットを買い占め、イベント会場などで、購入金額の数倍から数十倍の価格で転売して、正常なイベント活動を阻害する事態が発生している。かかる行為のため、本来の購入希望者がチケットを購入できなかったり、高額な支払いをせざるを得なくなったりするなど社会的な弊害が生じている。これは、チケットを販売するとき、購買者がどのような目的で購入するかを問わず販売するために生じる弊害である。これらの弊害を少なくするため、イベント会場の入口では、正規なチケットかを係員が目視確認して入場を許可することが行われている。
［０００３］
また、かかる弊害を防止する技術として、ユーザが提示するチケット用紙の券図面に印刷された２次元コードを読み取る読取手段と、前記読取手段により読み取られた２次元コードを声紋情報に復号化し、復号化した声紋情報を取得する取得手段と、前記ユーザの音声を入力する入力手段と、前記入力手段により入力された音声を声紋情報に変換し、前記取得手段により取得された声紋情報と、前記変換された声紋情報とを照合して前記ユーザが正規な
【手続補正４】
【補正対象書類名】明細書
【補正対象項目名】０００３
【補正方法】変更
【補正の内容】
【０００３】
の購入者の生体データを読み取る読取装置を電子チケット販売時および電子チケット返却時に必要とするので、ネットワーク網を介してのチケットの販売は困難である。
［０００９］
本発明は、上記の課題を解決するためになされたものであって、権利の移転を防止できる端末装置、及び同一人物判別システムを提供することを目的とする。
課題を解決するための手段
［００１０］
上記の目的を達成するため、本発明の第１の観点に係る端末装置（１２−ｎ）は、所定の権利の取得者の声を記憶するサーバ装置（１０）にネットワーク（１１）を介して接続された端末装置（１２−ｎ）であって、声を入力する声入力部（２０１）と、前記所定の権利の行使者の声が前記声入力部（２０１）に入力されたことに応答して、前記サーバ装置（１０）に記憶されている前記所定の権利の取得者の声を前記ネットワーク（１１）を介して取得し、前記行使者の声と前記取得者の声との声紋を照合して該行使者が該取得者と同一人物であるか否かを判別し、前記行使者が前記取得者と同一人物であると判別した場合、前記所定の権利を行使可能な状態にする端末制御部（２０５）と、を備え、前記端末制御部（２０５）は、前記所定の権利を行使可能な状態にした後、所定の制限時間以内に、前記所定の権利が行使されたことに応答して、前記所定の権利を行使済みの状態とし、前記所定の制限時間を超えて、前記所定の権利が行使されたことに応答して、前記所定の権利の行使を拒否する状態にする。
［００１１］
［００１２］
［００１３］
上記の端末装置（１２−ｎ）において、前記タッチパネル（２０２）は、前記声紋認証によって前記行使者が前記取得者と同一人物であることの確認が取れているか否か、及び前記所定の権利を行使済みであるか否かに応じて
【手続補正５】
【補正対象書類名】明細書
【補正対象項目名】０００４
【補正方法】変更
【補正の内容】
【０００４】
、異なる画面を表示する、ようにしてもよい。
［００１４］
上記の端末装置（１２−ｎ）において、前記端末制御部（２０５）は、予め定められた前記所定の権利を行使可能な期間内であることを条件に、前記行使者の声と前記取得者の声との声紋を照合して該行使者が該取得者と同一人物であるか否かを判別する、ようにしてもよい。
［００１５］
［００１６］
［００１７］
上記の目的を達成するため、本発明の第２の観点に係る同一人物判別システム（１００）は、上記の端末装置（１２−ｎ）と、前記端末装置（１２−ｎ）とネットワーク（１１）を介して接続されたサーバ装置（１０）と、を具備する同一人物判別システム（１００）であって、前記端末装置（１２−ｎ）の前記端末制御部（２０５）は、前記所定の権利の行使者の声が前記声入力部（２０１）に入力されたことに応答して、該所定の権利の取得者の声を要求する声要求信号を、前記ネットワーク（１１）を介して前記サーバ装置（１０）に送信し、前記サーバ装置（１０）から前記ネットワーク（１１）を介して送信される前記取得者の声を受信し、前記サーバ装置（１０）は、前記所定の権利の取得者の声を記憶する声記憶部（４８）と、前記端末装置（１２−ｎ）から前記ネットワーク（１１）を介して送信される前記声要求信号を受信し、前記声要求信号が要求する前記所定の権利の取得者の声を前記声記憶部（４８）から検出し、前記行使者の声と前記取得者の声との声紋を照合して該行使者が該取得者と同一人物であるか否かを判別し、前記行使者が前記取得者と同一人物であると判別した場合、前記声紋認証によって前記行使者が前記取得者と同一人物であることの確認が取れたことを示す声紋認証確認済信号を、前記ネットワーク（１１）を介して前記端末装置（１２−ｎ）に送信するサーバ制御部（１０３）と、前記所定の権利を行使可能な状態にしてからの経過時間を計測するタイマ（４９）と、を備え、前記端
【手続補正６】
【補正対象書類名】明細書
【補正対象項目名】０００５
【補正方法】変更
【補正の内容】
【０００５】
末制御部（２０５）は、前記所定の権利が行使されたことに応答して、所定の権利が行使されたことを示す信号を、前記ネットワーク（１１）を介して前記サーバ装置（１０）に送信し、前記サーバ制御部（１０３）は、前記端末装置（１２−ｎ）から前記ネットワーク（１１）を介して送信される前記所定の権利が行使されたことを示す信号を受信したことに応答して、前記タイマ（４９）によって計測された前記経過時間が所定の制限時間以内か否かを判別し、前記経過時間が前記所定の制限時間以内であると判別した場合、前記所定の権利を行使済みとする行使済信号を、前記ネットワーク（１１）を介して前記端末装置（１２−ｎ）に送信し、前記経過時間が前記所定の制限時間を超えていると判別した場合、前記所定の権利の行使を拒否する行使拒否信号を、前記ネットワーク（１１）を介して前記端末装置（１２−ｎ）に送信し、前記端末制御部（２０５）は、前記サーバ装置（１０）から前記ネットワーク（１１）を介して送信される前記行使済信号を受信したことに応答して、前記所定の権利を行使済みの状態にし、前記サーバ装置（１０）から前記ネットワーク（１１）を介して送信される前記行使拒否信号を受信したことに応答して、前記所定の権利の行使を拒否する状態にする。
［００１８］
［００１９］
【手続補正７】
【補正対象書類名】明細書
【補正対象項目名】０００６
【補正方法】変更
【補正の内容】
【０００６】
［００２０］
上記の同一人物判別システム（１００）において、前記端末制御部（２０５）は、前記所定の権利の取得を要求する権利取得要求信号を前記ネットワーク（１１）を介して前記サーバ装置（１０）に送信し、前記サーバ制御部（１０３）は、前記端末装置（１２−ｎ）から前記ネットワーク（１１）を介して送信される前記権利取得要求信号を受信したことに応答して、該権利取得要求信号が要求する権利の取得数が、所定の制限数内であるか否かを判別し、前記所定の制限数内であると判別した場合、前記所定の権利の取得を許可する、ようにしてもよい。
［００２１］
上記の同一人物判別システム（１００）において、前記サーバ制御部（１０３）は、前記声紋認証によって前記行使者が前記取得者と同一人物であることの確認が取れた場合、所定のサイトへログインするためのセキュリティコードを生成して、前記ネットワーク（１１）を介して前記端末装置（１２−ｎ）に送信し、前記端末制御部（２０５）は、前記サーバ装置（１０）から前記ネットワーク（１１）を介して送信される前記セキュリティコードを受信し、前記セキュリティコードを使用して前記所定のサイトへログインする、ようにしてもよい。
［００２２］
上記の同一人物判別システム（１００）は、所定のサイトへログインするためのセキュリティコードを生成して前記端末装置（１２−ｎ）に送信するセキュリティコード生成装置（８）に前記ネットワーク（１１）を介して接続され、前記サーバ制御部（１０３）は、前記声紋認証によって前記行使者が前記取得者と同一人物であることの確認が取れた場合、前記セキュリティコードを生成を要求するセキュリティコード生成要求信号を前記ネットワーク（１１）を介して前記セキュリティコード生成装置（８）に送信し、前記端末制御部（２０５）は、前記セキュリティコード生成装置（８）から前記ネットワーク（１１）を介して送信される前記セキュリティコードを受信し
【手続補正８】
【補正対象書類名】明細書
【補正対象項目名】０００７
【補正方法】変更
【補正の内容】
【０００７】
、前記セキュリティコードを使用して前記所定のサイトへログインする、ようにしてもよい。
［００２３］
［００２４］
［００２５］
【手続補正９】
【補正対象書類名】明細書
【補正対象項目名】０００８
【補正方法】変更
【補正の内容】
【０００８】
［００２６］
上記のサーバ制御部（１０３）は、予め定められた前記所定の権利を行使可能な期間内であることを条件に、前記行使者の声と前記取得者の声との声紋を照合して該行使者が該取得者と同一人物であるか否かを判別するようにしてもよい。
発明の効果
［００２７］
本発明によれば、権利の移転を防止できる端末装置及び同一人物判別システムを提供することができる。
図面の簡単な説明
［００２８］
［図１］本実施形態に係るチケット処理システムのハードウェア構成を例示する図である。
［図２］端末装置の構成例を示すブロック図である。
【国際調査報告】
2018105600.tif 000025
2018105600.tif 000026
2018105600.tif 000027
2018105600.tif 000028